【事件の表示】
　特許第３１２５９２５号「プリンタ」の請求項１ないし６に係る特許に対する特許異議の申立てについて、次のとおり決定する。
【結　論】
　訂正を認める。
　特許第３１２５９２５号の請求項１ないし４に係る特許を維持する。
【理　由】
１．手続の経緯
　特許第３１２５９２５号（以下、「本件」という。）の特許請求の範囲の請求項１乃至６に係る発明の特許に対し、平成１３年７月２３日付けで特許異議申立人戸叶孝一より請求項１〜６に係る発明の特許は取り消すべきものである旨を申立の趣旨とする特許異議申立がなされ、同日付けで特許異議申立人相原光政より請求項１〜６に係る発明の特許は取り消すべきものである旨を申立の趣旨とする特許異議申立がなされ、平成１３年１１月９日付けで戸叶孝一宛審尋がなされ、平成１３年１２月１４日付けで戸叶孝一より特許異議審尋回答書があり、平成１４年４月１１日付けで取消理由通知がなされ、その指定期間である平成１４年６月２４日付けで訂正請求書が意見書と共に提出され、更に平成１４年７月９日付けで特許異議申立人双方に対して審尋がなされ、平成１４年８月１２日付けで戸叶孝一より特許異議審尋回答書が、平成１４年８月１９日付けで相原光政より回答書が提出されたものである。
２．訂正の適否についての判断
（１）訂正の内容
　本件の訂正の内容は、次のａ．〜ｋ．のとおりである。
ａ．訂正事項ａ
　訂正事項ａは、【発明の名称】、段落【０００１】、【０００８】〜【００１０】における「プリンタ、印刷方法及び記録媒体」を、「プリンタ」と訂正するものである。
ｂ．訂正事項ｂ
　訂正事項ｂは、【特許請求の範囲】の請求項５及び６を、削除する訂正である。
ｃ．訂正事項ｃ
　訂正事項ｃは、【特許請求の範囲】の請求項１の「制御部と、」と「前記第１印刷方式」との間に「前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部と、」を挿入して訂正するものである。
ｄ．訂正事項ｄ
　訂正事項ｄは、【特許請求の範囲】の請求項１の「識別コード確定手段とを有する入力部」を、「識別コード確定手段とを有し、前記表示部に表示された前記第１印刷方式及び前記第２印刷方式に共通の印刷条件を同一の操作操作手順で変更可能な入力部」と訂正するものである。
　そして、訂正事項ｃ及びｄによって、【特許請求の範囲】の請求項１を、全体として「【請求項１】印刷を行う印刷部と、前記印刷部に紙を搬送する搬送部とを備えるプリンタであって、記録媒体から画像データを取得するデータ取得部と、前記データ取得部にサムネイル画像データを取得させサムネイル画像データに基づいて紙１枚あたりに複数のインデックス画像と各インデックス画像に対応する識別コードとを印刷する第１印刷方式、又は前記データ取得部に印刷対象の画像データを取得させ印刷対象の画像データに基づいて画像を印刷する第２印刷方式によって前記印刷部及び搬送部を制御する制御部と、前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部と、前記第１印刷方式と第２印刷方式とを切り換える切換手段と、印刷対象の画像データを確定するための識別コードを確定する識別コード確定手段とを有し、前記表示部に表示された前記第１印刷方式及び前記第２印刷方式に共通の印刷条件を同一の操作手順で変更可能な入力部と、を備えることを特徴とするプリンタ。」と訂正するものである。
ｅ．訂正事項ｅ
　訂正事項ｅは、【特許請求の範囲】の請求項３における「切換キーを有する」を、「切換キーを有し、前記切換キーが押圧されて前記第１印刷方式に切り換わると発光する第一のＬＥＤと、前記切換キーが押圧されて前記第２印刷方式に切り換わると発光する第二のＬＥＤとをさらに備える」と訂正するものである。
　そして、訂正事項ｅによって、【特許請求の範囲】の請求項３を、全体として「【請求項３】前記入力部は、押圧されることによって前記第１印刷方式と第２印刷方式とを切り換える切換キーを有し、前記切換キーが押圧されて前記第１印刷方式に切り換わると発光する第一のＬＥＤと、前記切換キーが押圧されて前記第２印刷方式に切り換わると発光する第二のＬＥＤとをさらに備えることを特徴とする請求項１又は２記載のプリンタ。」と訂正するものである。
ｆ．訂正事項ｆ
　訂正事項ｆは、【特許請求の範囲】の請求項４の「前記入力部の識別コード」の前に、「前記表示部は、前記第１印刷方式の印刷条件を設定するための画面においては、前記第１印刷方式の印刷条件を設定するための画面に固有の表示を常に表示し、前記第２印刷方式の印刷条件を設定するための画面で」を挿入して訂正するものである。
ｇ．訂正事項ｇ
　訂正事項ｇは、【特許請求の範囲】の請求項４における「表示する表示部を備える。」を、明りょうでない記載の釈明を目的として「表示する。」と訂正するものである。
　そして、訂正事項ｆ及びｇによって、【特許請求の範囲】の請求項４を、全体として「【請求項４】前記表示部は、前記第１印刷方式の印刷条件を設定するための画面においては、前記第１印刷方式の印刷条件を設定するための画面に固有の表示を常に表示し、前記第２印刷方式の印刷条件を設定するための画面で前記入力部の識別コード信号に対応する識別コードを表示することを特徴とする請求項１、２又は３記載のプリンタ。」と訂正するものである。
ｈ．訂正事項ｈ
　訂正事項ｈは、段落【００１２】における「本発明の請求項１記載のプリンタによると、（中略）入力部とを備える。」を、「本発明の請求項１記載のプリンタは、印刷を行う印刷部と、前記印刷部に紙を搬送する搬送部とを備えるプリンタであって、記録媒体から画像データを取得するデータ取得部と、前記データ取得部にサムネイル画像データを取得させサムネイル画像データに基づいて紙１枚あたりに複数のインデックス画像と各インデックス画像に対応する識別コードとを印刷する第１印刷方式、又は前記データ取得部に印刷対象の画像データを取得させ印刷対象の画像データに基づいて画像を印刷する第２印刷方式によって前記印刷部及び搬送部を制御する制御部と、前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部と、前記表示部に表示された前記第１印刷方式及び前記第２印刷方式に共通の印刷条件を同一の操作手順で変更可能なキーと、前記第１印刷方式と第２印刷方式とを切り換える切換手段と、印刷対象の画像データを確定するための識別コードを確定する識別コード確定手段とを有する入力部と、を備えることを特徴とする。」と訂正するものである。 
ｉ．訂正事項ｉ
　訂正事項ｉは、本件の明細書中段落【００１４】の「切換キーを有する。」を、「切換キーを有し、前記切換キーが押圧されて前記第１印刷方式に切り換わると点灯する第一のＬＥＤと、前記切換キーが押圧されて前記第２印刷方式に切り換わると点灯する第二のＬＥＤとをさらに備える。」と訂正するものである。
ｊ．訂正事項ｊ
　訂正事項ｊは、本件明細書中の段落【００１５】の「入力部の識別コード信号に対応する識別コードを表示するため、」を、「前記表示部は、前記第１印刷方式の印刷条件を設定するための画面においては、前記第１印刷方式の印刷条件を設定するための画面に固有の表示を常に表示し、前記第２印刷方式の印刷条件を設定するための画面で入力部の識別コード信号に対応する識別コードを表示するため、」と訂正するするものである。
ｋ．訂正事項ｋ
　訂正事項ｋは、本件の明細書中段落【００１６】の全部を削除して訂正するものである。
（２）．訂正の目的の適否、新規事項の有無、及び拡張・変更の存否
ａ．訂正事項ａ
　訂正事項ａは、特許請求の範囲の記載と発明の名称及び発明の詳細な説明の記載の整合をとるために、発明の名称、発明の詳細な説明の段落【０００１】、及び【０００８】〜【００１０】における「プリンタ、印刷方法及び記録媒体」を、「プリンタ」と訂正するものであるから、明りょうでない記載の釈明を目的とするものであって、願書に添付した明細書又は図面に記載した事項の範囲内の訂正であり、実質上特許請求の範囲を拡張し、又は変更するものでない。
ｂ．訂正事項ｂ
　訂正事項ｂは、【特許請求の範囲】の請求項５及び６を削除する訂正であるから、明りょうでない記載の釈明を目的とするものであって、願書に添付した明細書又は図面に記載した事項の範囲内の訂正であり、実質上特許請求の範囲を拡張し、又は変更するものでない。
ｃ．訂正事項ｃ
　訂正事項ｃは、【特許請求の範囲】の請求項１の「制御部と、」と「前記第１印刷方式」との間に「前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部と、」を挿入して訂正するものである。
　ところで、第１に、本件明細書の段落【００５５】に「上述のワンタッチプリント、ツータッチプリント、焼き増しプリント及びカメラ指定プリントにおいて、上キー５０６または下キー５０７を操作して印刷条件を変更したいセクションを選択し、各セクションにおいて用紙種類、用紙サイズ、画質、自動調整等の設定を変更して任意の印刷条件を設定した後にプリント開始キー５０１を押して印刷することも可能である。」と記載されており、この記載によれば、少なくとも、用紙種類、用紙サイズ、画質及び自動調整は、ツータッチプリント及び焼き増しプリントにおいて設定可能な印刷条件の中の共通の印刷条件であることが認められる。
　第２に、本件明細書の段落【００４８】及び【００４９】の頭書・表題として「(３)ツータッチプリント」と記載され、段落【００４８】には「そして表示部４には、図５に示すように、（中略）表示される。制御部３は、（中略）第１印刷方式によって印刷部２及び搬送部１を制御する。」と記載され、本件明細書の段落【００４９】に「用紙１枚につき縦４列横４列の１６コマのインデックス画像にそれぞれ識別コード１０２を付して印刷する。（中略）このようにして印刷することを以後ツータッチプリントという。」と記載されており、これらの記載によれば、ツータッチプリントでは第１印刷方式によって印刷され、本件図面の図５に示された画面が記第１印刷方式の印刷条件を設定するための画面であることは明らかである。
　第３に、本件明細書の段落【００５０】〜【００５４】の頭書・表題として「(４)焼き増しプリント」と記載され、段落【００５０】に「そして、表示部４には、図７に示すように（中略）レイアウトセクション４０４に全体（中略）が表示される。」と記載され、段落【００５１】には「制御部３は、全体のレイアウトが選択されているため、第２印刷方式によって印刷部２及び搬送部１を制御する。」と記載され、【００５３】には、「制御部３は、全体のレイアウトが選択されているため、第２印刷方式によって印刷部２及び搬送部１を駆動する。」と記載され、及び段落【００５４】には「ツータッチプリントによってインデックスを印刷した後、１コマキー５０４または範囲指定キー５０５を押して印刷することを以後焼き増しプリントという。」と記載されており、これらの記載によれば、焼き増しプリントでは第２印刷方式によって印刷され、本件図面の図７に示された画面が記第２印刷方式の印刷条件を設定するための画面であることは明らかである。
　第４に、本件図面の図５及び図７には、第１印刷方式の印刷条件を設定するための画面においても、第２印刷方式の印刷条件を設定するための画面においても、用紙種類は用紙種類セクション４０２に表示され、用紙サイズは用紙サイズセクション４０３に表示され、画質は画質セクション４０８に表示され、自動調整は自動調整セクション４０９に表示されることが記載されている。
　してみれば、表示部が第１印刷方式及び第２印刷方式に共に使用する用紙種類、用紙サイズ、画質、自動調整等の条件、即ち、第１印刷方式及び第２印刷方式に共通の印刷条件とする事項を同一のセクションに表示することが、本件明細書及び本件図面に記載されている事項であると認められ、且つ、以上の認定によれば、訂正事項ｃ．は、請求項１に係る発明における「第１印刷方式」と「第２印刷方式」の印刷を行う際の条件の表示の態様について、技術的に具体化し限定したものであるから、特許請求の範囲の減縮に当たるものである。
  したがって、訂正事項ｃは、特許請求の範囲の減縮を目的とするものであって、願書に添付した明細書又は図面に記載した事項の範囲内の訂正であり、実質上特許請求の範囲を拡張し、又は変更するものでない。
ｄ．訂正事項ｄ
　訂正事項ｄは、請求項に記載された発明を特定する事項である「入力部」が有する手段について「前記表示部に表示された前記第１印刷方式及び前記第２印刷方式に共通の印刷条件を同一の手順で変更可能」を付加するものであるところ、前示のｃ．において説示したとおり、本件明細書の段落【００４８】〜【００５５】には、少なくとも用紙種類、用紙サイズ、画質及び自動調整は、第１印刷方式及び第２印刷方式で設定可能な共通の印刷条件であることが記載されており、また、本件明細書中の段落【００５５】に「ツータッチプリント、焼き増しプリント（中略）において、上キー５０６または下キー５０７を操作して印刷条件を変更したいセクションを選択し、各セクションにおいて用紙種類、用紙サイズ、画質、自動調整等の設定を変更して任意の印刷条件を設定した後にプリント開始キー５０１を押して印刷することも可能である。」と記載され、本件明細書の段落【００３１】に「アクティブなセクションでは、右キー５０９と左キー５０８によって表示を切り替えることが可能である。」と記載され、本件明細書の段落【００２９】に「右キー５０９及び左キー５０８は、表示部４の各セクションにおける印刷条件の細目を変更する。」と記載され、及び本件明細書の段落【００３０】に「表示部４で選択される表示内容は、プリント開始キー５０１が押圧されることによって制御部３に印刷条件として設定される。」と記載されており、これらの記載によれば、第１印刷方式の場合においてもまた第２印刷方式の場合においても、上下キーで変更しようとする印刷条件を表示するセクションをアクティブにし、次に右キー５０９と左キー５０８によってアクティブなセクシヨンの表示を切り替えるという同一のキーを使って同様な操作を繰り返す操作手順を実行することによって、用紙種類、用紙サイズ、画質及び自動調整の印刷条件を変更することが可能であることが記載されていることを認めることができる。
　そして、「入力部」が有する手段について「前記表示部に表示された前記第１印刷方式及び前記第２印刷方式に共通の印刷条件を同一の手順で変更可能」を付加することは、「前記第１印刷方式と第２印刷方式とを切り換える切換手段」と「印刷対象の画像データを確定するための識別コードを確定する識別コード確定手段」とを有している入力部が、前記表示部に表示された前記第１印刷方式及び前記第２印刷方式に共通の印刷条件を変える操作をする場合の手順の態様について、それらの印刷条件を同一の操作手順で変更可能であるように技術的に具体化し限定したものと認められる。
　そうすると、訂正事項ｄ．は、特許請求の範囲の減縮を目的とするものであって、願書に添付した明細書又は図面に記載した事項の範囲内の訂正であり、実質上特許請求の範囲を拡張し、又は変更するものでない。
　以上のとおりであるから、訂正事項ｃ．及びｄ．によって、請求項１の全体を「印刷を行う印刷部と、前記印刷部に紙を搬送する搬送部とを備えるプリンタであって、記録媒体から画像データを取得するデータ取得部と、前記データ取得部にサムネイル画像データを取得させサムネイル画像データに基づいて紙１枚あたりに複数のインデックス画像と各インデックス画像に対応する識別コードとを印刷する第１印刷方式、又は前記データ取得部に印刷対象の画像データを取得させ印刷対象の画像データに基づいて画像を印刷する第２印刷方式によって前記印刷部及び搬送部を制御する制御部と、前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部と、前記第１印刷方式と第２印刷方式とを切り換える切換手段と、印刷対象の画像データを確定するための識別コードを確定する識別コード確定手段とを有し、前記表示部に表示された前記第１印刷方式及び前記第２印刷方式に共通の印刷条件を同一の操作手順で変更可能な入力部と、を備えることを特徴とするプリンタ。」と訂正する訂正事項ｃ．及びｄ．は、特許請求の範囲の減縮を目的とするものであって、願書に添付した明細書又は図面に記載した事項の範囲内の訂正であり、実質上特許請求の範囲を拡張し、又は変更するものでない。
ｅ．訂正事項ｅ
　訂正事項ｅは、請求項３に記載された発明を特定するための切替キーについて、「切換キーを有する」を、「切換キーを有し、前記切換キーが押圧されて前記第１印刷方式に切り換わると発光する第一のＬＥＤと、前記切換キーが押圧されて前記第２印刷方式に切り換わると発光する第二のＬＥＤとをさらに備える」と訂正するものである。
　ところで、「切替キー」については、本件明細書の段落【００４８】に「切換キーとしてのインデックスキー５０３を押すと前印刷キー５０２が消え、インデックスキー５０３が点灯する。そして（中略）デフォルトの設定として、（中略）レイアウトセクション４０４にインデックス（中略）が表示され（中略）制御部３は、インデックスのレイアウトが選択されているため、第１印刷方式によって印刷部２及び搬送部１を制御する。」と記載され、本件明細書の段落【００２７】に「全印刷キー５０２、インデックスキー５０３、範囲指定キー５０５及び１コマキー５０４は、そのうちのいずれか１つを選択できるキーであって、選択されているキーのＬＥＤが発光する。」と記載され、本件明細書の段落【００２５】に「切換キーとしての（中略）インデックスキー５０３は、（中略）それぞれの操作面の内側に図示しないＬＥＤが備えられる。」と記載されており、これらの記載によれば、切換キーが押圧されて第１印刷方式に切り換わると発光する第一のＬＥＤがプリンタに備えられていることが記載されている。
  更に、本件明細書の段落【００５０】に「切換キーとしての１コマキー５０４を押すとインデックスキー５０３が消え、１コマキー５０４が点燈する。そして（中略）デフォルトの設定として、（中略） レイアウトセクション４０４に全体（中略）が表示される。」と記載され、本件明細書の段落【００５１】に「制御部３は、全体のレイアウトが選択されているため、第２印刷方式によって印刷部２及び搬送部１を制御する。」と記載され、本件明細書の段落【００２６】に「切換キーとしての（中略）１コマキー５０４は、（中略）操作面の内側に図示しないＬＥＤが備えられる。」と記載され、また、前述したとおり、本件明細書の段落【００２７】に「全印刷キー５０２、インデックスキー５０３、範囲指定キー５０５及び１コマキー５０４は、そのうちのいずれか１つを選択できるキーであって、選択されているキーのＬＥＤが発光する。」と記載されている。これらの記載によれば、本件明細書には、「前記切換キーが押圧されて前記第２印刷方式に切り換わると発光する第二のＬＥＤ」がプリンタに備えられていることが記載されている。
　そうすると、訂正事項ｅは、これらの記載に基づいて、請求項３に係る発明を特定するための事項である「切換キー」自体を顕す態様として、「前記切換キーが押圧されて前記第１印刷方式に切り換わると発光する第一のＬＥＤ」及び「前記切換キーが押圧されて前記第２印刷方式に切り換わると発光する第二のＬＥＤ」と「発光」する態様に技術的に具体化し限定して規定するものである。
　したがって、訂正事項ｅは、特許請求の範囲の減縮を目的とするものであって、願書に添付した明細書又は図面に記載した事項の範囲内の訂正であり、実質上特許請求の範囲を拡張し、又は変更するものでない。
ｆ．訂正事項ｆ
　訂正事項ｆは、請求項４に記載された発明を特定するための表示部を限定する記載として、「前記第１印刷方式の印刷条件を設定するための画面においては、前記第１印刷方式の印刷条件を設定するための画面に固有の表示を常に表示」を付加し、さらに「前記入力部の識別コード信号に対応する識別コード」が「前記第２印刷方式の印刷条件を設定するための画面」で表示されることを特定したものであるところ、本件明細書の段落【００４８】に「そして表示部４には、図５に示すように（中略）レイアウトセクション４０４にインデックス（中略）が表示され（中略）制御部３は、インデックスのレイアウトが選択されているため、第１印刷方式によって印刷部２及び搬送部１を制御する。」と記載されているから、第１印刷方式の印刷条件を設定するための画面においては、常にレイアウトセクションにレイアウトの表示が表示され、レイアウトの表示は第１印刷方式の印刷条件を設定するための画面に固有の表示であることは、本件明細書の段落【００４８】及び本件図面の図５から導き出すことができる。
　また、「入力部の識別コード信号に対応する識別コード」が「第２印刷方式の印刷条件を設定するための画面で」表示されることは、本件明細書の段落【００５０】に「そして表示部４には、図７に示すように制御用プログラムのデフォルトの設定として、（中略）写真選択セクション４０６にメモリカードに保存された最初のコマの識別コードとして１（中略）が表示される。」と記載されており、本件図面中の図７に記載されている画面が第２印刷方式の印刷条件を設定するための画面であることは、明らかである。
　そうすると、訂正事項ｆ．は、特許請求の範囲の減縮を目的とするものであって、願書に添付した明細書又は図面に記載した事項の範囲内の訂正であり、実質上特許請求の範囲を拡張し、又は変更するものでない。
ｇ．訂正事項ｇ
　訂正事項 g.は、「表示する表示部」を「表示する」と訂正することによって、請求項１に記載された発明を特定するための事項として表示部を付加することに応じて、請求項１と請求項４との整合をとる訂正であり、「表示する表示部」を「表示する」と訂正することは、明りょうにしたものである。
　そうすると、訂正事項 g.は、明りようでない記載の釈明を目的とするものであって、願書に添付した明細書又は図面に記載した事項の範囲内の訂正であり、実質上特許請求の範囲を拡張し、又は変更するものでない。
　以上のとおりであるから、訂正事項ｆ及びｇによって、請求項４の全体を「【請求項４】前記表示部は、前記第１印刷方式の印刷条件を設定するための画面においては、前記第１印刷方式の印刷条件を設定するための画面に固有の表示を常に表示し、前記第２印刷方式の印刷条件を設定するための画面で前記入力部の識別コード信号に対応する識別コードを表示することを特徴とする請求項１、２又は３記載のプリンタ。」と訂正する訂正事項ｆ及びｇは、特許請求の範囲の減縮及び明りようでない記載の釈明を目的とするものであって、願書に添付した明細書又は図面に記載した事項の範囲内の訂正であり、実質上特許請求の範囲を拡張し、又は変更するものでない。
ｈ．訂正事項ｈ
　訂正事項ｈは、訂正事項ｃ及びｄによって訂正された特許請求の範囲の請求項１の記載と発明の詳細な説明の記載との整合をとるためのものであるから、明りようでない記載の釈明を目的とするものであり、請求項１に係る訂正事項ｃ及びｄと同様に、願書に添付した明細書又は図面に記載した事項の範囲内の訂正であって、実質上特許請求の範囲を拡張し、又は変更するものでない。
ｉ．訂正事項ｉ
　訂正事項ｉは、訂正事項ｅによって訂正された特許請求の範囲の請求項３の記載と発明の詳細な説明の記載との整合をとるためのものであるから、明りようでない記載の釈明を目的とするものであり、請求項３に係る訂正事項ｅ．と同様に、願書に添付した明細書又は図面に記載した事項の範囲内の訂正であって、実質上特許請求の範囲を拡張し、又は変更するものでない。
ｊ．訂正事項ｊについて
　訂正事項ｊは、訂正事項ｆ及びｇによって訂正された特許請求の範囲の請求項４の記載と発明の詳細な説明の記載との整合をとるためのものであるから、明りようでない記載の釈明を目的とするものであり、請求項４ に係る訂正事項ｆ及びｇと同様に願書に添付した明細書又は図面に記載した事項の範囲内の訂正であって実質上特許請求の範囲を拡張し、又は変更するものでない。
ｋ．訂正事項ｋ
　訂正事項ｋは、訂正事項ｂによって削除された特許請求の範囲の請求項５，６と発明の詳細な説明の記載との整合をとるためのものであるから、明りようでない記載の釈明を目的とするものであり、請求項５，６に係る訂正事項ｂと同様に、願書に添付した明細書又は図面に記載した事項の範囲内の訂正であり、実質上特許請求の範囲を拡張し又は変更するものでない。
（３）．まとめ
　以上のとおりであるから、本件の訂正は、特許請求の範囲の減縮、及び明りょうでない記載の釈明を目的とするものであって、願書に添付した明細書又は図面に記載した事項の範囲内の訂正であり、実質上特許請求の範囲を拡張し、又は変更するものでなく、特許法第１２０条の４第３項において準用する第１２６条第２項、第３項の規定に適合するものである。
３．特許異議申立てについての判断
（１）申立の理由の概要
ａ．特許異議申立人相原光政の異議申立理由の概要
　本件の請求項１〜６に係る発明は、その出願前その発明の属する技術の分野における通常の知識を有する者がその出願前国内において頒布された刊行物（再公表特許国際公開番号ＷＯ９６／２７２５８号公報、特開平８−３０７５８９号公報、特開平１−２２３５３０号公報、特開平１０−１７８５３８号公報）に記載された発明に基いて容易に発明をすることができたものであるから、特許法第２９条第２項の規定により特許を受けることができないものであり、本件の請求項１〜６に係る発明の特許は取り消すべきものである、というものである。
ｂ．特許異議申立人戸叶孝一の異議申立理由の概要
　本件の特許出願は、平成１０年３月１６日を特許出願日とする特許出願（以下、「先の出願」という。）の願書に最初に添附された明細書又は図面に記載された発明に基づいて優先権を主張してなされた平成１０年１０月１４日を特許出願日とする特許出願（以下、「後の出願」という。）であるところ、本件の請求項１〜６に係る発明の特許の出願は、本件の先の出願の出願日である平成１０年３月１６日を優先日とする利益を享受できないものであり（後述の（４）Ａ−１．「本件の特許出願の出願日について」参照。）、本件の請求項１〜６に係る発明は、その出願前その発明の属する技術の分野における通常の知識を有する者がその出願前国内において頒布された刊行物（特開平１０−１２６７２４号公報（公開日は、本件の先の出願の出願日より後であって、本件特許の出願日の前の平成１０年５月１５日）、特開平１０−６６００３号公報、）に記載された発明に基いて容易に発明をすることができたものであるから、特許法第２９条第２項の規定により特許を受けることができないものであって、本件の請求項１〜６に係る発明の特許は取り消すべきものである、というものである。
（２）本件の請求項１〜４に係る発明
　上記２．で説示したように上記訂正が認められるから、本件の請求項１に係る発明（以下、「本件発明１」ということがある。）〜本件の請求項４に係る発明（以下、「本件発明４」ということがある。）は、本件の訂正明細書（以下、「訂正明細書」ということがある。）においてその特許請求の範囲の請求項１〜４に記載された事項によって特定される以下のとおりのものである。なお、符号Ａ．〜Ｌ．を挿入した。
【請求項１】
Ａ．印刷を行う印刷部と、前記印刷部に紙を搬送する搬送部とを備えるプリンタであって、
Ｂ．記録媒体から画像データを取得するデータ取得部と、
Ｃ．前記データ取得部にサムネイル画像データを取得させサムネイル画像データに基づいて紙１枚あたりに複数のインデックス画像と各インデックス画像に対応する識別コードとを印刷する第１印刷方式、又は前記データ取得部に印刷対象の画像データを取得させ印刷対象の画像データに基づいて画像を印刷する第２印刷方式によって前記印刷部及び搬送部を制御する制御部と、
Ｄ．前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部と、
Ｅ．前記第１印刷方式と第２印刷方式とを切り換える切換手段と、印刷対象の画像データを確定するための識別コードを確定する識別コード確定手段とを有し、
Ｆ．前記表示部に表示された前記第１印刷方式及び前記第２印刷方式に共通の印刷条件を同一の操作手順で変更可能な入力部と、
Ｇ．を備えることを特徴とするプリンタ。
【請求項２】
Ｈ．前記入力部は、押圧されることによって所定の識別コードを確定する画像選択キーを有することを特徴とする請求項１記載のプリンタ。
【請求項３】
Ｉ．前記入力部は、押圧されることによって前記第１印刷方式と第２印刷方式とを切り換える切換キーを有し、
Ｊ．前記切換キーが押圧されて前記第１印刷方式に切り換わると発光する第一のＬＥＤと、前記切換キーが押圧されて前記第２印刷方式に切り換わると発光する第二のＬＥＤとをさらに備えることを特徴とする請求項１又は２記載のプリンタ。
【請求項４】
Ｋ．前記表示部は、前記第１印刷方式の印刷条件を設定するための画面においては、前記第１印刷方式の印刷条件を設定するための画面に固有の表示を常に表示し、前記第２印刷方式の印刷条件を設定するための画面で
Ｌ．前記入力部の識別コード信号に対応する識別コードを表示することを特徴とする請求項１、２又は３記載のプリンタ。
（３）刊行物に記載された発明
刊行物１　特開平１０−１２６７２４号公報（特許異議申立人戸叶孝一が提出した甲第１号証）
刊行物２　特開平１０ー６６００３号公報（特許異議申立人戸叶孝一が提出した甲第２号証）
刊行物３　再公表特許国際公開番号ＷＯ９６／２７２５８号公報（特許異議申立人相原光政が提出した甲第１号証） 
刊行物４　特開平８−３０７５８９号公報（同申立人相原光政が提出した甲第２号証）
刊行物５　特開平１−２２３５３０号公報（特許異議申立人相原光政が提出した参考資料１）
刊行物６　特開平１０−１７８５３８号公報（特許異議申立人相原光政が提出した参考資料２）
ａ．刊行物１に記載された発明
　刊行物１（特開平１０−１２６７２４号公報）には、
『【００１３】【発明の実施の形態】図１は本発明のダイレクトプリントアダプタの構成図であり、ダイレクトプリントアダプタ（以下、アダプタ本体と記す）１０は、映像信号処理部１１、データ転送方向切換部１２、入出力制御部１３、データ処理部１４、表示処理部１５、操作部１７、および図示しないシリアルインターフェイス、パラレルインターフェイスと電源部から構成されている（更に、メモリーカードインターフェイスを設けてもよい）。【００１４】また、アダプタ本体１０には入力機器として、ビデオ機器３１、３２、デジタルカメラ４０が、出力機器としてビデオモニタ５０およびプリンタ６０がケーブルを介して接続可能であり、電源補充用にａ／Ｃアダプタ７０が接続する。【００１５】なお、ここでいうビデオ機器はデジタルＶＣＲ、ＴＶゲーム機、ＶＴＲ、ＶＣＲ等のビデオ信号出力可能な機器をいう。また、接続するプリンタ６０はカラー印刷可能なプリンタであり、高品質なカラー画像の再現印刷が可能な濃・淡カラープリンタであることが望ましい。』（段落【００１３】〜【００１５】）、
『デジタルデータ処理部１４は操作部１７からの指示信号或いは入出力制御部１３からの信号を受けて、データ転送方向切換部１２を介しての映像系画像データのメモリー１４２への取込、メモリー１４２に格納されている画像データ及びメニュ−データのデータ転送方向切換部１２を介しての表示系への転送、シリアルインターフェイス１４５或いはメモリーカードインターフェイス１４６を介してのデジタルカメラ４０からの画像データの取込および伸張処理やデジタルカメラ４０に対する設定条件の設定／変更、メモリー１４２に格納されている画像データをカラー印刷用データに変換するための色変換処理、入出力制御部１３の制御に基づく色変換処理後の印刷用データのパラレルインターフェイス１４５を介してのプリンタへ６０の転送、操作部１７からの操作信号入力に基づく表示制御、処理モードの指定に基づくメニュー画面、設定画面、警告画面等の表示制御等を行なう。』（段落【００２３】）、
『操作部１７は図５に示すような操作パネル９０から操作信号を受取り、指示信号(デジタル信号)に変換してデジタルデータ処理部１４に与える。』（【００２８】）、
『操作信号としては、例えば、操作パネル９０の設定スイッチ８４の押し下げによるメニュー画面起動／選択信号、設定内容変更スイッチ８５の操作による設定変更信号、印刷スイッチ８７の押し下げによる印刷開始／終了指示信号、表示切換えスイッチ８８の押し下げによるモニタ画面の表示切換え指示信号、メモリースイッチ８９の押し下げによりメモリー１４２に映像を取込む指示信号等がある。』（【００２９】）、
『なお、デジタルデータ処理部１４は操作部１７に対して操作指示に対する応答信号を送り、操作パネル上に表示させることができる(例えば、操作パネル９０を例にすると、ＬＥＤ８３の点灯による操作エラー表示や、ＬＥＤ８６の点灯による印刷可能表示等)。』（【００３０】）、
『デジタルカメラ４０の撮影結果はカメラの固定メモリー或いはメモリーカードのような取外し可能なメモリーに輝度Ｙ、色差信号Ｕ、Ｖからなるデジタル画像データとして記憶されている。なお、デジタルカメラ４０で得られた画像データは通常メモリー容量を節約するため圧縮されているが、このような場合にはデジタルデータ処理部１４は受け取った圧縮データに伸張処理を施して復元し、メモリー１４２の画像データ用領域に格納する。』（段落【００３１】）、
『＜データ処理モジュール＞図３はデジタルデータ処理部１４による処理を実行するためのデータ処理モジュールの構成を示すブロック図であり、データ処理モジュール１００を構成する各プログラムはＰＲＯＭ１４３に格納されている。なお、本実施の形態ではデータ処理モジュール１００をプログラム群で構成しているがファームウエアとして構成してもよい。』【００３５】、
『図３で、データ処理モジュール１００は、制御プログラム１０１、選択画像表示手段１０６を含む画面表示プログラム１０２、処理選択プログラム１０３、カーソル制御手段１０７、画像選択手段１０８、およびインデックス付与手段１０９を含む処理プログラム群１０４および印刷用データ処理モジュール１０５を有している。』【００３６】、
『画面表示プログラム１０２は、メモリー１４２に取込んだ複数の画像データ（例えば、インデックス画像）をビデオモニタ５０にｍ×ｎに整列させて表示する選択画像表示手段１０６を含んでいる。』（段落【００３９】）、
『デジタルカメラモードで実行可能な処理は、(１)印刷用紙サイズや種類等の条件を設定する印刷条件設定処理、(２)デジタルカメラ側の条件を設定或いは変更するデジタルカメラ条件設定処理、(３)サムネイル(ベタ焼印刷)や焼増し印刷等のデジタルカメラ特殊印刷条件設定処理、(４)ビデオモードへの移行、であり、使用者は図６(ｂ)のメニューを見ながら操作パネル９０の設定スイッチ８４を押して項目を選択し、キー８５のアイコン[＞]を押して選択項目実行の確認を行なうと、画面表示プログラム１０２により対応のメニュー画面が表示されるので、使用者は更に表示されたメニュー画面のメニューを見て操作パネル９０上のスイッチを操作することにより、所望の処理を選択して実行することができる。なお、上記(１)、(２)、(３)の処理の実行にはそれぞれ対応の処理プログラムが備えられている。また、(４)の処理については処理選択プログラム１０３で行なう。』（【００４２】）、
『印刷用データ処理モジュール１０５は、デジタルカメラから取込まれた圧縮画像データを伸張するデータ伸張プログラム、画素補間プログラムおよび色変換処理を行なうプリンタドライバから構成されており、メモリー１４２に取込まれた画像データを印刷用データに変換して出力する。』（段落【００４６】）、
『操作パネル９０のアイコン［＞］が押されるとデジタルカメラモードとなり（ステップＳ２）、選択画像表示手段１０６によりメモリー１４２から画像データ（インデックス画像）が取り出されデータ転送方向切換部１２および表示処理部１５を介して画像としてビデオモニタ５０に図７（ａ）に示すような画像選択画面２００として表示される（ステップＳ３）。』（段落【００５３】）、
『使用者は表示されたサムネイル画像から所望の画像を指定するためにカーソルを移動させる。カーソルは太い枠で示され、アイコン［＞］、［＜］スイッチの操作により移動する。カーソルが現在位置している場所に表示されている画像が印刷のために選択される選択画像候補となる（ステップＳ４）。』（段落【００５５】）、
『カーソルが停止している場合、画像選択確認手段としてのメモリースイッチ８９を押すと（ステップＳ７）、画像が選択され、選択されたサムネイル画像（８０×６０ピクセル）に対応する高解像度の画像データ（６４０×４８０ピクセル）がデジタルカメラ４０からメモリー１４２に取込まれ、メモリー１４２からＤＭＡ転送されて、データ転送方向切換部１２、表示処理部１５を介して１フレーム分の画像としてビデオモニタ５０に表示される（ステップＳ８）。』（段落【００５８】）、
『印刷スイッチ８７を押すとデータ処理部１４での印刷前処理（プリンタドライバによる色変換処理等）を経て（ステップＳ９）、印刷データをプリンタ６０に送信され、印刷が開始される（ステップＳ１０）。』（段落【００５９】）、及び
『【００６０】図４（ｂ）は画像にインデックスを付ける場合のフローチャートであり、図４（ａ）のステップＳ９とＳ１０の間にステップＳ８ー１〜Ｓ８ー４を設けて表示画像および印刷画像にインデックス（例えば、番号、記号、文字列等）付ける。【００６１】ステップＳ８ー１でインデックス付与手段１０８（当審注：１０９の誤記と認める。）は選択されたサムネイル画像とそれに対応して読み込まれた画像にインデックスを付け（ステップＳ８ー１）ビデオモニタ５０に画像と共に表示し（ステップＳ８ー２：図７（ｂ））、対応テーブルを作成する（ステップＳ８ー３）。対応表にはインデックスおよび通し番号の他、索引として必要な情報が登録される。また、選択画像の印刷用データにもインデックスをつけ、印刷画像（写真）にインデックスを印刷するようにする（ステップＳ８ー４）。【００６２】これにより、インデックスを用いて表示画像の中から所望の画像を選択（検索）するよう構成することもできる。また、図７（ｃ）のサムネイル印刷メニューを用いてインデックスを付けたサムネイル画像を一括印刷し、事後の検索に用いることもできる。』（段落【００６０】〜【００６２】）と記載されており、これらの記載及び図面を含む刊行物１によれば、刊行物１には、
『映像信号処理部１１、入出力制御部１３、データ処理部１４、表示処理部１５、操作部１７から構成されているダイレクトプリントアダプタ１０は、デジタルカメラ４０を、ビデオモニタ５０およびプリンタ６０を接続し、操作部１７からの指示信号或いは入出力制御部１３からの信号を受けて、映像系画像データのメモリー１４２への取込、メモリー１４２に格納されている画像データ及びメニュ−データの表示系への転送、デジタルカメラ４０からの画像データの取込および伸張処理やデジタルカメラ４０に対する設定条件の設定／変更、入出力制御部１３の制御に基づく印刷用データのプリンタ６０への転送、メニュー画面、設定画面、警告画面等の表示制御等を行なうデータ処理部１４を備え、インデックス付与手段１０９は選択されたサムネイル画像とそれに対応して読み込まれた画像にインデックス（番号、記号、文字列等）を付け、ビデオモニタ５０に画像と共に表示し、選択画像の印刷用データにもインデックスをつけ、印刷画像（写真）にインデックスを印刷するようにすることにより、サムネイル印刷メニューを用いてインデックスを付けたサムネイル画像を一括印刷し、画像選択確認手段としてのメモリースイッチ８９を押すと、画像が選択され、選択されたサムネイル画像に対応する高解像度の画像データがメモリー１４２に取込まれ、１フレーム分の画像としてビデオモニタ５０に表示され、印刷スイッチ８７を押すとデータ処理部１４での印刷前処理を経て、印刷データをプリンタ６０に送信され、印刷が開始され、デジタルカメラモードで実行可能な処理として、(１)印刷用紙サイズや種類等の条件を設定する印刷条件設定処理、(２)デジタルカメラ側の条件を設定或いは変更するデジタルカメラ条件設定処理、(３)サムネイル(ベタ焼印刷)や焼増し印刷等のデジタルカメラ特殊印刷条件設定処理、(４)ビデオモードへの移行、ができ、使用者は操作パネル９０の設定スイッチ８４を押して項目を選択し、キー８５のアイコン[＞]を押して選択項目実行の確認を行なうと、画面表示プログラム１０２により対応のメニュー画面が表示され、操作部１７は操作パネル９０から操作信号（操作パネル９０の設定スイッチ８４の押し下げによるメニュー画面起動／選択信号、設定内容変更スイッチ８５の操作による設定変更信号、印刷スイッチ８７の押し下げによる印刷開始／終了指示信号、表示切換えスイッチ８８の押し下げによるモニタ画面の表示切換え指示信号、メモリースイッチ８９の押し下げによりメモリー１４２に映像を取込む指示信号等）を受取り、指示信号に変換してデジタルデータ処理部１４に与え、デジタルデータ処理部１４は操作部１７に対して操作指示に対する応答信号を送り、操作パネル上に表示させることができる(操作パネル９０において、ＬＥＤ８３の点灯による操作エラー表示や、ＬＥＤ８６の点灯による印刷可能表示等)プリンタ』（以下、「刊行物１の発明」という。）が記載されている。
　なお、刊行物１の発明は、本件発明２〜４に照応・対置し得る次の事項を備えている。
即ち、本件発明２に対応して、『ビデオモニタ５０に表示されるサムネイル画像に対応する高解像度の画像データをインデックス（例えば、番号、記号、文字列等）をもちいて選択する画像選択確認手段としてのメモリースイッチ８９』（段落【００３９】、段落【００５８】、【００６０】〜【００６２】）、本件発明３に対応して、『操作パネル９０において、ＬＥＤ８３の点灯による操作エラー表示や、ＬＥＤ８６の点灯による印刷可能を表示するように、指示・制御するデジタルデータ処理部１４』（【００３０】）、及び本件発明４に対応して、『選択されたサムネイル画像とそれに対応して読み込まれた画像にインデックスを付けるインデックス付与手段１０９、及びビデオモニタ５０に画像と共に表示する手段』（【００６１】）を備えている。
ｂ．刊行物２に記載された発明
　刊行物２（特開平１０ー６６００３３号公報）には、
『この発明は、テレビ画像等のハードコピーをとることのできるビデオプリンタ装置に係り（中略）取り込んだ複数の画像をプリントアウトできるようにしたもの』（段落【０００１】）、及び『フル／分割キー５２は、印刷対象となる画像を１種類の画像とするか、複数の画像を１画面の画像とするかを切り換えるものである。このビデオプリンタ装置１は、１画面分の印刷領域に１種類の画像を印刷するフルモードと、１画面分の印刷領域を４分割して４種類の画像を印刷する４分割モードと、（中略）９分割モードと、（中略）１６分割モードととを選択できるようにしている。』（段落【００２３】）と記載されており、また図１によれば、『フル／分割切換キー５２、画像指定キー５６』の事項が認められる。
　これらの記載及び図面を含む刊行物２によれば、刊行物２には、ビデオプリンタ装置において、『印刷対象となる画像を１種類の画像とするか、複数の画像を１画面の画像とするかを切り換えるキー』（以下、「刊行物２の発明」という。）が記載されている。
ｃ．刊行物３に記載された発明
刊行物３（再公表特許国際公開番号ＷＯ９６／２７２５８号公報））には、
『１．記憶媒体から複数の画像を読み出す読出し手段と、上記読出し手段によって読み出された複数の画像データに基づいて、印刷画像データを形成する画像形成手段と、上記画像形成手段によって形成された印刷画像データをインデックスカード上に印刷する印刷手段と、上記印刷画像データが印刷されたインデックスカードによって上記複数の画像データを一覧できるように上記読出し手段、上記画像形成手段及び上記印刷手段を制御する制御手段とを備えた画像データ印刷装置。』（第２頁第２行〜第１０行、特許請求の範囲）
『まず、本発明に係る画像データ印刷装置及び印刷画像データ生成装置は、例えば図１に示すような静止画ファイリングシステムに適用される。１．［静止画ファイリングシステムの構成］この静止画ファイリングシステムは、（中略）スキャナ部１と（中略）プリンタ部２と（中略）画像処理ブロック３とを有し（中略）画像データに応じたモニタ装置９（中略）記録媒体として設けられている光ディスクに記録し再生するストレージ部５と当該静止画ファイリングシステム全体の制御を行うシステムコントローラ６とを有している。また、このシステムコントローラ６には、上記画像データの取り込み、記録、再生、プリント等を指定するための操作部１０が接続されている。』（第２３頁第２０行〜第２４頁第１５行）、
『１−５［ストレージ部の構成］　上記ストレージ部５は、図６に示すように上記バスライン７に接続されたインターフェース５ａと、上記間引き、圧縮伸長処理ブロック４からの各解像度の画像データに対して８−１４変調処理を施すＥＦＭ回路５ｂと、上記ＥＦＭ回路５ｂからの画像データを光ディスク２０に記録し再生するディスク記録再生装置５ｃと、当該ストレージ部５全体の動作を制御するストレージ部コントローラ５ｄとで構成されている。』（第２６頁第２１行〜同頁第２７行）、
『４．［ファイル及びファイルの階層構造の説明］　当該静止画像ファイリングシステムにおいて使用されるファイルは、管理ファイル、画像ファイル、インデックス画像ファイル等がある。（中略）画像ファイルには、高解像度画像データＨＤを記録する高解像度画像ファイルと、中間解像度画像データＳＤを記録する中間解像度画像ファイルとがある。（中略）上記高解像度画像ファイルは、図１８（ａ）に示す（中略）上記中間解像度画像ファイルは、図１８（ｂ）に示す（中略）このインデックス画像ファイルには、図１８（ｃ）に示すように、２５個の低解像度画像データがインデックス画像データとして収納されている。１つの低解像度画像データは、６４０×４８０画素の中間解像度データを１／８０に間引いてデータレートを減少させて生成した６０画素×８０画素から成り立っている。次に、当該静止画像ファイリングシステムは、階層ディレクトリ構造により光ディスク２０に記録された画像データを管理するようになっている。この階層ディレクトリ構造は例えば図１９に示すようになっており、画像データを記録するディレクトリＤ１（ＰＩＣ＿ＭＤ）を設け、その中でファイル管理を行うようになっている。』（第５３頁下から第１行〜第５５頁第１４行）、
『６．［記録動作］（中略）挿入された光デイスク２０が、ストレージ部５内に装着されて画像データの記録再生可能な状態となる。』（第７６頁第８行〜同頁第９行）、
『次に、ステップＳ９では、システムコントローラ６が（中略）ディレクトリ名称、ディレクトリ番号、及び画像ディレクトリ内の画像枚数等のデータを上記モニタ装置９に表示制御し（中略）ステップＳ１０では、（中略）操作部１０の操作状態を検出することにより（中略）画像データを記録する画像ディレクトリの指定があったか否かを判別し、（中略）ステップＳ１２では、（中略）指定がなされていないため、（中略）指定されるまで、（中略）上記ステップ１０及び当該ステップ１２を繰り返し、（中略）ステップＳ１３では、（中略）指定されたため、（中略）総合情報管理ファイルによって既存の画像ディレクトリの個数を判断して、新たな画像ディレクトリのディレクトリ番号を付すと共に、この画像ディレクトリの中に画像データ管理ファイル及び画像インデックスファイルを形成して（中略）ステップ１４に進む。ステップ１４では、（中略）全ての画像データを読み出す』（第７８頁第１６行〜第７９頁第９行）、
『９．［インデックス画像の再生及び表示］（中略、当審注：第１００頁第１行〜第１０２頁下から第１０行まで省略。）ステップＳ１３２では、上記システムコントローラ６が、検索されたディレクトリ内の最初の画像インデックスファイル（２５枚分のインデックス画像を含む）を上記モニタ装置９に表示制御し（第９９頁下から第１行、及び第１０２頁下から第９行〜第７行）（中略）システムコントローラ６が、上記操作部１０の操作状態を検出することにより、上記モニタ装置９に表示されたインデックス画像の中からユーザ所望の画像の指定がなされたか否かを判別し、（中略）Ｙｅｓの場合は（第１０２頁下から第６行〜第３行）、ステップＳ１３６に進み、上記システムコントローラ６が指定されたインデックス画像に対応する高解像度画像ファイル又は中間解像度画像ファイルを検索して（第１０３頁第６行〜第８行）（中略）システムコントローラ６が操作部１０の操作状態を検出することにより、上記検索された中間解像度の画像ファイルのモニタ表示が指定されたか否かを判別し、Ｙｅｓの場合は（第１０４頁第１６行〜第１８行）（中略）システムコントローラ６が（中略）再生された中間解像度の画像ファイルを表示するようにモニタ装置９を表示制御すると共に、（中略）検索された高解像度の画像ファイルを読み出すようにディスク記録再生部５ｃを制御し、これをメインメモリ１１ａを介してプリンタ部２に供給し（中略）全ルーチンを終了する。（第１０４頁第２０行〜同頁下から第１行）』（第９９頁下から第１行〜第１０４頁下から第１行））、
『１２．［インデックスプリントの説明］　以下、インデックスプリントについて説明する。（中略）まず、この静止画像ファイリングシステムでインデックス画像がプリントされるインデックスカード５０は、例えば図４０に示すように、プリント紙４０上に複数個配置されるようにプリントされる。（中略）プリント紙４０上には、８つのインデックスカード５０が配置され、複数のインデックス画像がプリントされる。各インデックスカード５０には、一対の画像印画部５１と関連情報印画部５２がそれぞれ２５個プリントされる。この画像印画部５１には、インデックス画像データがプリントされる。また、関連情報印画部５２には、画像ディレクトリを示す番号「４」と、高解像度画像データの記録モードを示す「Ｕ」と、画像番号を示す「５」のキャラクタがプリントされる。』（第１１２頁第５行〜同頁第２０行）、
『１３．［インデックスプリントの説明］ディスクに全ての画像データを記録し終えた後に、インデックスプリントが行えるようになっている。つまり、第１の記録動作におけるステップＳ２４の後、又は第２の記録動作におけるステップＳ５１の後、又は第３の記録動作におけるステップＳ９７の後に、インデックスプリントを行うことができる。（当審注：第１１５頁第７行〜第１２行）（中略）まず、図４５に示されたフローを参照して具体的に第１のインデックスプリントの動作を説明する。第１のインデックスプリントの動作は、図４０に示される第１の実施例のインデックスカードをプリントする際の動作である。（中略）ステップＳ２０１では、プリントモードの選択を判断する。このプリントモードには、高解像度プリントモードと低解像度プリントモードの２つプリントモードがある。（中略）また、低解像度プリントモードは、インデックスカード上にプリントする印刷画像データをインデックス画像ファイルに記録された低解像度画像データすなわちインデックス画像データによって生成するモードである。』（第１１５頁第７行〜第１１６頁第３行）、
『次に、低解像度プリントモードを説明する。すなわち、上記ステップＳ２０１で低解像度モードが指定されるとステップＳ２１１に進む。このステップＳ２１１では、インデックス画像ファイルを検索する。具体的に説明すると、システムコントローラ６は、ＲａＭ６ａに記憶された総合情報管理ファイルの中に画像ディレクトリの数だけ設けられた画像ディレクトリ情報ユニットのディレクトリ番号を参照することにより、画像ディレクトリ及びインデックス画像ファイルを指定する。指定される画像ディレクトリは、ディレクトリ番号「ｍｍｍｍｍ」の最も小さいディレクトリである。図１９に示されるファイル構造の例においては、「ＰＩＣ０００００」が指定される。また、インデックス画像ファイルは、指定されたディレクトリの中における最もインデックス番号「ｎｎｎ」の小さいファイルが指定される。従って、図１９に示されるファイル構造の例においては、「ＰＩＮＤＸ０００．ＰＭＸ」が指定されることになる。システムコントローラ６によって、インデックス画像ファイルが指定されると、ステップＳ２１２に進む。ステップＳ２１２では、システムコントローラ６は、ステップＳ２１１で指定されたインデックス画像ファイルをディスク上で検索して読み出すようにストレージコントローラ５ｄを制御する。ファイルの検索動作は、前述した［ファイル及び画像ディレクトリの検索］の項において説明した図３８の動作フローに従って行われる。ストレージ部５から読み出されたインデックス画像ファイルに含まれる複数の低解像度画像データ（インデックス画像データ）は、図２９（ａ）に示すように、Ｎ個のへツダとＮ個のインデックス画像データとから構成されている。また、既に説明したように、このインデックス画像データは６０画素×８０画素の解像度を有している。このＮ個のインデックス画像データは、ヘッダを参照することによってＪＰＥＧ伸張されて、画像処理ブロック３のメインメモリ１１ａに順に記憶される。このステップＳ２１２において、Ｎ個のインデックス画像データの読出しが終了すると、ステップＳ２１３に進む。ステップＳ２１３では、メモリ１１ａに記憶されたＮ個のインデックス画像データに、関連情報データが合成される。』（第１２０頁第８行〜第１２１頁第８行）、及び
『また、インデックスカードにプリントされたインデックス画像データと一緒にディレクトリ番号及びインデックス画像番号をプリントするようにしているので、このインデックスカードを見るだけで、ユーザの希望する画像がどのディレクトリの何番目に記録されているかを把握することができる。従って、ディスクを記録再生装置に装着して、どのディレクトリに所望の画像データが記録されているかを検索することなく、このインデックスカードを見るだけで、ディレクトリ番号及びインデックス画像番号を指定して、所望の画像を再生することができ、検索作業を簡略化することができる。』（第１２５頁第２０行〜同頁２７行）、と記載されており、また、これらの記載と静止画像ファイリングシステムのブロック図である図１（第２０頁第７行〜第８行）及びストレージ部のブロック図である図６（第２０頁第１７行〜第１８行）を併せみると、『光ディスク２０の記憶媒体をアクセスするためのストレージ部５が設けられていて、光ディスク２０には、画像ファイルの他に、低解像度の画像、例えば６０画素×８０画素のインデックス画像ファイルが格納されており、インデックスプリントが指定されると、システムコントローラ６は、プリント紙４０上に、ストレージコントローラ５ｄを制御して、低解像度の画像（８０×６０画素）を複数読出し、その低解像度の画像と関連情報データを合成して、図４０（静止画像ファイリングシステムでプリントしたインデックスカードの平面図）（第２２頁下から第１行〜第２３頁第１行）に示すプリントを行い、このインデックスカードを見るだけで、ユーザの希望する画像がどのディレクトリの何番目に記録されているかを把握することができる。従って、ディスクを記録再生装置に装着して、どのディレクトリに所望の画像データが記録されているかを検索することなく、このインデックスカードを見るだけで、ディレクトリ番号及びインデックス画像番号を指定して、所望の画像を再生することができ、検索作業を簡略化することができる』事項が記載されている。
　これらの記載及び図面（特に、図１、６、１５、１８、１９、及び３２〜４５）を含む刊行物３によれば、刊行物３には、
『記憶媒体から複数の画像を読み出す読出し手段と、上記読出し手段によって読み出された複数の画像データに基づいて、印刷画像データを形成する画像形成手段と、上記画像形成手段によって形成された印刷画像データをインデックスカード上に印刷する印刷手段（プリンタ部２）と、上記印刷画像データが印刷されたインデックスカードによって上記複数の画像データを一覧できるように上記読出し手段、上記画像形成手段及び上記印刷手段を制御する制御手段とを備えた画像データ印刷装置であって、ストレージ部５内に装着された光ディスク２０に記憶されている高解像度画像データと中間解像度画像データとインデックス画像データを、ストレージコントローラ５ｄを制御して読み出すストレージ部５と、画像データに応じた静止画像が表示されるモニタ装置９を備え、操作部１０の操作状態を検出して画像ディレクトリの指定の有無を判別し、指定されたときに、既存の画像ディレクトリの個数を判断して、新たな画像ディレクトリのディレクトリ番号を付すと共に、この画像ディレクトリの中に画像データ管理ファイル及び画像インデックスファイルを形成して、全ての画像データを読み出し、システムコントローラ６が、検索されたディレクトリ内の最初の画像インデックスファイル（２５枚分のインデックス画像を含む）を上記モニタ装置９に表示制御し、モニタ装置９に表示されたインデックス画像の中からユーザ所望の画像の指定の有無に応じて、指定されたインデックス画像に対応する高解像度画像ファイル又は中間解像度画像ファイルを検索し、検索された中間解像度の画像ファイルのモニタ表示が指定されたか否かを判別し、指定された場合は、再生された中間解像度の画像ファイルを表示するようにモニタ装置９を表示制御すると共に、検索された高解像度の画像ファイルを読み出すようにディスク記録再生部５ｃを制御し、これをメインメモリ１１ａを介してプリンタ部２に供給し、プリントの指示があった場合、読み出した低解像度の画像データに基づいて１枚のプリント紙４０に複数の低解像度の画像（インデックス画像）が画像印画部５１に、及び各低解像度の画像（インデックス画像）に対応する関連情報（画像ディレクトリを示す番号、高解像度画像データの記録モードを示す符号、画像番号）が関連情報印画部５２に印刷されるように制御するように構成されている画像データ印刷装置。』（以下、「刊行物３の発明」ということがある。）が記載されている。
ｄ．刊行物４に記載された発明
刊行物４（特開平８ー３０７５８９号公報）には、
『デジタルスチルビデオカメラによって撮影された記憶媒体上の画像データの内容が容易に把握でき、一枚あるいは複数枚の記録紙上で一度に見られる形に記録紙上に出力できるデジタル複写装置を提供することを第１の目的とする。』（段落【０００８】、第３頁左欄第３２行〜第３６行）、
『スキャナ１０１は、（中略）後述する記憶装置１１１の間で画像データの送受信を行うためのインターフェースボード１１０と、ＲａＭカード等の記憶媒体に画像データを書き込んだり、画像データを読み込む記憶装置１１１と（中略）から構成される。』（段落【００３１】、第５頁左欄第２３行〜第４０行）、
『また、プリンタ１０２は、（中略）記録紙を収納する用紙トレイ１２２、１２３と、用紙トレイ１２２、１２３から記録紙を一枚ずつ給紙する給紙ローラ１２４、１２５と、記録紙の搬送タイミング（位置合わせ）を制御するためのレジストレーラ１２６と、記録紙を搬送する搬送ベルト１２７（中略）とを備えている。』（段落【００３３】、第５頁左欄第４６行〜右欄第２３行）、
『システム制御部１３３は、操作パネル２０２を介してオペレータとの間でデジタル複写装置に関する各種データを送受信する。（中略）操作パネル２０２を介してオペレータが要求した画像（選択画像）に基づいて、画像データの出力を制御している。』（段落【００４４】、第６頁右欄第１２行〜第２２行）、
『また、画像データをプリント出力する際、オペレータは、操作パネル２０２のキーを操作して画像データに付随したテキストデータをプリント出力するか、否かを選択する。』（段落【００４９】、第７頁左欄第１３行〜第１６行）、
『このとき、記憶媒体３０２に記憶されている画像データは、圧縮されて記憶されているため、記憶装置１１１で読み込まれた画像データは、インターフェースボード１１０内の圧縮伸長部３０６によって伸長された後、フレームメモリ３０３に書き込まれる。また、画像データに付随したテキストデータは、キャラクタジェネレータ３０７によってビットデータに展開され、フレームメモリ３０３に書き込まれる。どちらのデータも回様に出力開始位置によって出力位置がしていされる。このとき、テキストデータは、図４に示すように、プリント出力する画像データの近傍で画像データとの関係が判り易い位置が指定される。』（段落【００５０】、第７頁左欄第１７行〜第２８行）、
『ここで、記憶媒体３０２であるＲａＭカードについて図を参照して説明する。図５は、ＲａＭカードのメモリマップ例を示す図である。現在のデジタルスチルビデオカメラで一般的に使われるＲａＭカードは、容量が２４Ｍバイト程度有し、約５００枚の静止画像が記憶可能である。』（段落【００５２】、第７頁左欄第３４行〜第３９行）、
『図７は、同日付の最初の１つの画像データのみをプリントした出力画像例である。また、図８は、同日付の最初と最後の２つの画像データをプリントした出力画像例である。いずれも記憶媒体３０２中の内容をできるだけ少ない記録紙にプリント出力し、理解できるようにするための代表的な画像データを選択する方法の一例である。また、図４のプリント出力した画像データに基づいて、画像データを１つずつ選択することも可能であることは、勿論である。』（段落【００５６】、第７頁右欄第１６行〜第２４行）、
『また、操作パネル２０２は、表示部２０３のタッチパネル付きのＬＣＤに、任意のキーを表示することが可能になっている。画像データをプリント出力してナンバー１１の画像データにテキストデータであるコメントを加える時、操作パネル２０２からコメントを付加するコメント付加モードを選択し、画像データのナンバー１１を入力する。』（段落【００５７】、第７頁右欄第２５行〜第３１行）、及び
　『【発明の効果】以上説明したように、（中略）画像読取手段と（中略）デジタルスチルビデオカメラによって記録された記憶媒体との間で各種データの読み出しおよび書き込みを行うデータ入出力手段と、前記画像読取手段またはデータ入出力手段で読み込んだ画像データを記憶する記憶手段と、前記記憶媒体上に記録されている画像データ中の一つあるいは複数の画像データを選択するための選択手段と、（中略）制御手段と（中略）画像出力手段とを備えたため、デジタルスチルビデオカメラによって撮影された記憶媒体上の画像データの内容が容易に把握でき、一枚あるいは複数枚の記録紙上で一度に見られる形に記録紙上に出力でき、利便性を向上させることができる。また、デジタルスチルビデオカメラによって撮影された記憶媒体上の画像データが大量にある場合でも、選択手段を介してオペレータが希望する画像のみを選択して記録紙上に出力することができる。』（段落００６７】、第８頁左欄第４０行〜同頁右欄第１１行）と記載されており、これらの記載及び図面を含む刊行物４によれば、刊行物４（甲第２号証）には、
『デジタル複写装置において、デジタルスチルカメラによって記録された記憶媒体３０２を読込むための記憶装置１１１及びインターフェースボード１１０が設けられており、記憶媒体に記憶している全ての画像データおよび画像データに付随したテキストデータの出力画像例を印刷する場合には、記憶媒体３０２の画像データと、それに付随するテキストデータをビットデータに展開したものを、その画像データの近傍位置に配置させ、印刷する。』発明（以下、「刊行物４の発明」という。）
が記載されている。
ｅ．刊行物５に記載された発明  
刊行物５（特開平１ー２２３５３０号公報）には、
『印刷中に早急に出力したいデータが生じた時でも上記データを印刷途中に割込ませ、優先的に印刷することが出来る印刷処理装置を提供することを課題とする。』（第２頁左上欄第４行〜第８行）、及び『印刷するページがある場合には、新たな指定された印刷要件があるかどうか判定する（ステップ１０７）。（中略）新たに発生した印刷要件の優先度の方が高い場合には、発生した印刷要件内に割込み印刷の要求があるかどうか判断する（ステップ１０９）。（中略）印刷要件内に割込み印刷の要求がある場合には、ＣＰＵ１３は（中略）次に印刷する印刷対象データの文字ドットを新たに発生した印刷要件のデータの文字ドットに書換える（ステップ１１０）。』（公報第３頁右上欄第６行〜左下欄第１２行）と記載されており、これらの記載及び図面を含む刊行物３によれば、刊行物３には、
『印刷順序列に従って印刷中に、新たな印刷要求が発生した場合で、割込み印刷要求がなされているときに、次に印刷する文字データを新たに発生した印刷要求のデータに書き換える』発明（以下、「刊行物５の発明」という。）が記載されている。
ｆ．刊行物６に記載された発明
刊行物６（特開平１０ー１７８５３８号公報）には、
『本発明は、複数枚の原稿画像を読み取ってメモリ上でレイアウト編集しながら画像出力可能な画像処理装置および画像処理装置のレイアウト処理方法に関するものである。』
（段落（【０００１】）、及び
『４７５は両面モードキーであり、（中略）ＬＥＤ４７２〜４７４は、設定された両面モードに応じて点灯』（段落（【００３０】）と記載されており、これらの記載及び図面を含む刊行物６によれば、刊行物６には、原稿画像を読み取ってメモリ上でレイアウト編集しながら画像出力可能な画像処理装置において、
『設定された両面モードに応じて点灯するキー』（以下、「刊行物６の発明」という。）が記載されている。
（４）対比・判断
　本件の請求項５、６は、本件訂正により削除されたので（１．手続きの経緯、２．訂正の適否についての判断の項を参照。）、以下、本件発明１〜本件発明４について検討する。
　まず、本件の特許は、平成１０年３月１６日を特許出願日とする特許出願（以下、「先の出願」という。）の願書に最初に添附された明細書又は図面に記載された発明に基づいて優先権を主張してなされた平成１０年１０月１４日を特許出願日とする特許出願（以下、「後の出願」という。）に係る特許であるところ、本件の特許出願の出願日について、特許異議申立人戸叶孝一は、「本件の特許は、その特許出願日について本件の先の出願の出願日である平成１０年３月１６日を優先日とする利益を享受することができないものである。」旨主張している。
Ａ−１．特許異議申立人戸叶孝一の主張
　特許異議申立人戸叶孝一は、前示のように主張し、その理由として、
『本件の特許公報に記載された請求項１〜４に係る発明は、後の出願の出願日である平成１０年１０月１４日を出願日とする明細書及び図面であって本件の特許がされた時点の明細書及び図面（本件特許に係る特許公報に掲載されたもの）（当審注：以下、「後出願特許明細書等」ということがある。）に記載された発明であるところ、概要、以下のア．乃至キ．のように、本件の特許出願の優先権の主張の基礎となる先の出願（特願平１０−６４８７４号）の願書に最初に添附した明細書又は図面（当審注：以下、「原明細書等」ということがある。）に記載された発明の範囲を超えたものであって、そのために、本件の請求項１〜４に係る発明の特許の出願日は、後の特許出願の出願日である平成１０年１０月１４日であるからである。
ア．原明細書等では、第１実施例が図１乃至１２で説明され、第２実施例が図１３乃至１６で説明されているところ、「後出願特許明細書等」（本件特許に係る特許公報）ででは、実施例は１個であって、図１乃至８で説明されており、しかも、原明細書等の図１乃至１６と後出願特許明細書等に記載された図１乃至８とは、重複する図面が１つもなく、すべての図面が異なっている。してみれば、後出願特許明細書等に記載された実施例は、原明細書等の実施例と異なり、原明細書等に開示されていないことは一見して分かる。
イ．原明細書等に記載された「目的」である「本発明は（中略）その目的は簡単な操作で複数の写真画像を選択して印刷することのできる写真画像印刷システムを提供することにある。」（段落【０００７】）と後出願特許明細書等に記載された「目的」である「【０００８】本発明は（中略）デジタルカメラ等によって記録した画像について、印刷する画像を単体で指定して印刷できるプリンタ（中略）を提供することを目的とする。【０００９】本発明の別の目的は、パソコン取り扱いに不慣れなユーザがデジタルカメラ等によって記録した画像を容易に印刷できるプリンタ（中略）を提供することを目的とする。【００１０】本発明のまた別の目的は、デジタルカメラ等によって記録した画像を印刷するのに手間のかからないプリンタ（中略）を提供することを目的とする。【００１１】本発明のまた別の目的は、デジタルカメラ等によって記録した画像について、印刷する画像を単体で指定して印刷できるプリンタ（中略）を提供することを目的とする。」（段落【０００８】〜【００１１】）は異なり、本件特許の各請求項に係る発明の「目的」は、原明細書等に記載された発明の「目的」を越えて拡大されている。
ウ．後出願特許明細書等に記載された請求項１に係る発明の構成とする「搬送部」は、原明細書等に記載されていない。
エ．後出願特許明細書等に記載された請求項１に係る発明の構成とする「記録媒体から画像データを取得するデータ取得部」は、原明細書等に記載されていない。
オ．後出願特許明細書等に記載された請求項１に係る発明の構成とする「前記データ取得部にサムネイル画像を取得させサムネイル画像データに基づいて１枚の紙に複数のインデックス画像及びそれぞれのインデックス画像に対応する識別コードを印刷するように前記印刷部及び搬送部を制御し」は、原明細書等に記載されていない。
カ．「前記第１印刷方式と第２印刷方式とを切り換える切換手段と、印刷対象の画像データを確定するための識別コードを確定する識別コード確定手段とを有する入力部」は原明細書等には記載されていない。
キ．前示のイ．乃至カ．は、後出願特許明細書等に記載された請求項２〜６に係る発明についても同様の趣旨で当てはまる。』
旨主張し（以上ア．〜カ．は、平成１３年１２月１４日付けの特許異議審尋回答書第２頁（３）審尋に対する回答の項）、更に、特許異議申立人戸叶孝一は、
『ク．本件訂正明細書に記載された請求項１に係る発明についても原明細書等との相違が一層明白となり、本件発明１は、後の特許出願の出願日である平成１０年１０月１４日である。』旨主張している（ク．は、平成１４年８月１２日付けの特許異議審尋回答書第２頁（３）審尋に対する回答の項、第２頁第１５行〜第２０行）。
　そこで、以下のＡ−２．Ａ−３において、訂正後の請求項に係る発明である本件発明が、先の出願日を優先日とする利益を享受できるか否かについて検討する。
Ａ−２．訂正後の請求項１に係る発明に係る特許出願日について
　訂正後の請求項１に係る発明である本件発明１の特許に係る出願日は、本件の先の出願の出願日である平成１０年３月１６日を優先日とする利益を享受できるものではない。
　その理由は、次（１）〜（３）のとおりである。
（１）いわゆる国内優先権制度においては、先の出願の原明細書等に記載された発明を基礎として後の出願に改良発明等を累積的に取り込んだ内容で特許出願できるのであるから、本件の後出願特許明細書等に記載された実施例の数について原明細書等における記載に対し変動があったり、また、本件の後出願特許明細書等に記載された図面において、原明細書等の図面と重複する図面が１つもなく、すべての図面が異なっている場合も存在し得るものである。
　しかしながら、優先権は、特許出願に係る発明、即ち特許請求の範囲に記載された発明について主張するものであり、その優先権の主張は先の出願の出願当初の明細書又は図面に記載された発明が基礎となるものであるから、後出願特許明細書等に記載された事項が原明細書等に記載された事項と一致せず、原明細書等に記載された事項から導き出すことができない事項が、後出願の明細書の特許請求の範囲の請求項に記載されている場合にあっては、当該請求項に係る発明ないし当該請求項に係る発明の特許については、先の出願の出願日を優先日とする利益を享受できるものではない。そして、原明細書等に記載されていない事項（以下、「原明細書等欠載事項」という。）であっても、後出願特許明細書等に記載された原明細書等欠載事項以外の事項や当該出願時点の技術水準等に基づいて、原明細書等から導き出すことができる事項であるので先の出願の国内優先の利益を受けることができる場合に当たるとするか否かは、当該原明細書等欠載事項そのもの又は当該原明細書等欠載事項を取り込む作用ないし機能を果たす事項が後の出願の明細書の特許請求の範囲の請求項に記載された場合において、個別具体的に判断されなければならない。
（２）これを本件の原明細書等、後出願特許明細書等、及び訂正明細書等について検討すると、本件特許に係る明細書及び図面である後出願特許明細書等に記載された実施例を含む発明の詳細な説明および図１乃至８には、原明細書等に記載されていない事項が、以下のように認められる。
　即ち、第１に、本件の図面の図３，４、図５、図７、及び図８における表示部４に登載された「画質」、「自動調整」、「範囲指定」、「カメラ指定」、「フイルタ番号」、「フレーム」、「フイルタ」、及び本件の後出願特許明細書等の発明の詳細な説明に登載された「高画質」と「高速」と「超高画質」と「粗い画質」と「高速印刷」（以上、後出願特許明細書等の段落【００４０】参照。）、「高画質」（同段落【００４８】参照。）、「高速の画質」（同段落【００５１】参照。）、及び「高画質」（同段落【００５４】参照。なお、段落【０００３】の「画質が低い」及び段落【０００５】の「高画質化」は、共に従来の技術についての説明において表記されたものである。）の各事項は、原明細書等に記載されていない事項である（以下、これらの原明細書等に記載されていない各事項を「原明細書等欠載事項１」という。）。
　第２に、本件発明１のＤ．の「前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部」は、本件の後出願特許明細書等に記載されていると認められるが、原明細書等には記載されているとは認められない。
　その理由は、以下のｓ〜ｙとおりである。
ｓ　表示部における「セクション」という語は、１の又は複数の枠内に区切られた範囲（以下、「枠内・範囲」という。）を意味し、原明細書等に、当該枠内・範囲を表示部として印刷条件を所定の類型毎に表現することに使用することが記載されていることが前提であるところ、原明細書等の図４（ｆ）、図５（ｆ）には記載されている
ｔ　且つ、原明細書等に、印刷条件という事項が当該枠内・範囲に所定の類型毎にまとめられた態様で表現されていることが記載されていることが前提であるところ、原明細書等の図５（ｆ）には、印刷条件として「枚数」が記載されている。
ｕ　本件発明１のＤ．の「前記第１印刷方式の印刷条件を設定するための画面」は、原明細書等には、上記ｓ及びｔを含め、図４〜図８（但し、図８の（ａ）は、（ｑ）の誤記である。）のように記載されているが、後出願特許明細書等には原明細書等に記載されたものと同一の内容もしくは相当と認められる内容は記載されていない。
ｖ　本件発明１のＤ．の「前記第２印刷方式の印刷条件を設定するための画面」は、原明細書等には、記載されていない。即ち、後出願特許明細書等には記載されている「前記第２印刷方式」を採用した場合における「枠内・範囲」（セクション）」を備えた「印刷条件を設定するための画面」（後出願特許明細書等の図３，４、７、及び８）は、原明細書等には記載されていない。
ｗ　更に、第１印刷条件と第２印刷条件が共通の印刷条件として、「同一の「枠内・範囲」（セクション）に表示する表示部」（後出願特許明細書等の図３〜５、７、及び８）は、原明細書等には記載されていない。
ｘ　ｓ〜ｗの認定に反する事実関係は、見出すことができない。
ｙ　したがって、本件発明１のＤ．の「前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部」は、本件の後出願特許明細書等に記載されていると認められるが、原明細書等には記載されているとは認められない。以下、この原明細書等に記載されていない事項を「原明細書等欠載項２」という。
　第３に、本件発明１のＦ．の「前記表示部に表示された前記第１印刷方式及び前記第２印刷方式に共通の印刷条件を同一の操作手順で変更可能な入力部」は、本件の後出願特許明細書等に記載されていると認められるが、原明細書等には記載されているとは認められない。
　その理由は、以下のｐのとおりである。
ｐ　前示の第２のｓ〜ｙのように、本件発明１のＤ．の「前記表示部に表示された前記第１印刷方式及び前記第２印刷方式に共通の印刷条件を表示する」事項を含む「原明細書等欠載項２」が原明細書等には記載されているとは認められない以上、本件発明１のＦ．の「前記表示部に表示された前記第１印刷方式及び前記第２印刷方式に共通の印刷条件を同一の操作手順で変更可能な入力部」は原明細書等に存在し得ない。以下、このｐの原明細書等に記載されていない各事項を「原明細書等欠載項３」という。
（３）以上のように、原明細書等に記載されていず、原明細書等に記載されていないために原明細書等から導き出すことができない上記の原明細書等の欠載事項１〜３が、後出願特許明細書等の特許請求の範囲に記載されている。
　そうすると、訂正後の請求項１に係る発明である本件発明１の特許に係る出願日は、本件の先の出願の出願日である平成１０年３月１６日を優先日とする利益を享受できるものではないから、その出願日は、本件特許の出願日である平成１０年１０月１４日を出願日とする特許出願である。
Ａ−３．訂正後の請求項２〜４に係る発明に係る特許出願日について
　訂正後の請求項２〜４に係る発明である本件発明２〜４の特許に係る出願日は、本件の先の出願の出願日である平成１０年３月１６日を優先日とする利益を享受できるものではないから、その出願日は、本件特許の出願日である平成１０年１０月１４日を出願日とする特許出願である。
　その理由は、以下のとおりである。
　本件発明２〜４は、本件発明１構成する事項の一部を限定して付加したものであるところ、いずれも本件発明１のＤ．Ｆ．を引用しているので、本件発明１についての上記Ａ−２．の説示がそのまま当てはまり、したがって、訂正後の請求項２〜４に係る発明である本件発明２〜４の特許に係る出願日は、本件の先の出願の出願日である平成１０年３月１６日を優先日とする利益を享受できるものではないから、その出願日は、本件特許の出願日である平成１０年１０月１４日を出願日とする特許出願である。
Ａ−４．特許異議申立人戸叶孝一、相原光政の主張について
　特許異議申立人戸叶孝一、相原光政の主張（Ａー１．において掲載）に対しては、下記のａ．〜ｉ．のとおり説示する。
ａ．上記ア．について
　国内優先権制度においては、先の出願の原明細書等に記載された発明を基礎として後の出願に改良発明等を取り込んだ内容で特許出願できるのであるから、本件の後出願特許明細書等に記載された実施例の数について原明細書等における記載に対して変動があったり、また、本件の後出願特許明細書等に記載された図１乃至８において、原明細書等の図面と重複する図面が１つもなく、すべての図面が異なっている場合も存在し得るものである。
ｂ．上記イ．について
　まず、本件の後の出願に係る明細書の段落【０００８】に記載された「本発明は、（中略）デジタルカメラ等によって記録した画像について、印刷する画像を単体で指定して印刷できるプリンタ、印刷方法及び記録媒体を提供することである。」は、原明細書等の段落【０００１】の「デジタルスチルカメラ」という記載及び段落【０００７】の「本発明は上記の問題を解決するためになされたものであり、その目的は簡単な操作で複数の写真画像を選択して印刷することのできる写真画像印刷システムを提供することにある。」という記載によれば、原明細書等に包含されていると認められる。また、本件の後の出願に係る明細書の段落【０００９】ないし【００１１】に記載された目的も同様に原明細書等に包含されていると認められる。
　本件訂正明細書に記載された「目的」（段落【０００８】）「本発明は、（中略）デジタルカメラ等によって記録した画像について、画像を高速で印刷できるプリンタを提供することができる。」は、原明細書等の段落【０００１】の「デジタルスチルカメラ」という記載及び段落【０００７】の「本発明は上記の問題を解決するためになされたものであり、その目的は簡単な操作で複数の写真画像を選択して印刷することのできる写真画像印刷システムを提供することにある。」という記載によれば、原明細書等に包含されていると認められる。また、本件訂正明細書の段落【０００９】ないし【００１１】に記載された目的も同様に原明細書等に包含されていると認められる。
ｃ．上記ウ．について
　本件発明１〜４の「搬送手段」は、原明細書等の段落【００６５】の「図示しない紙送り手段」という記載、段落【００６７】の「紙１３１の移動方向に」及び「排紙蓄積部１３８」という記載（図１３の「１３１」）によれば、原明細書等に包含されていると認められる。
ｄ．上記エ．について
　本件発明１〜４の「記録媒体から画像データを取得するデータ取得部」は、原明細書等の段落【００２２】の「写真画像データの読み込み先が選択されると、（中略）写真データが読み込まれる（Ｓ１０６）（中略）複数のサムネイルをモニタ２０に表示させる。この行程では、縮小データのみを読み込みこと（当審注：「込む」の誤記と認められる。）も可能である。」によれば、原明細書等に包含されていると認めることができる。
ｅ．上記オ．について
　本件発明１〜４の「サムネイル画像データに基づいて紙１枚あたりに複数のインデックス画像と各インデックス画像に対応する識別コードを印刷する第１印刷方式、又は前記データ取得部に印刷対象の画像データを取得させ印刷対象の画像データに基づいて画像を印刷する第２印刷方式によって前記印刷部及び搬送部を制御し」は、原明細書等の段落【０００８】の「複数の写真画像から印刷する写真画像を選択して印刷部で連続して印刷することができる」、段落【００２４】の「インデックスプリント時には、写真が記憶されている順番を示す写真番号が各写真画像の近傍に表示される」によれば、原明細書等に記載されていると認めることができる。
ｆ．上記カ．について
　本件特許に係る特許公報に記載された請求項５，６は削除されている。
ｇ．上記キ．について
　上記ａ．〜ｆ．は、本件訂正明細書に記載された請求項１に係る発明についても同様の趣旨で当てはまる。
ｈ．上記ク．について
　本件発明１には、Ａー３．において説示したように、前示の優先日の利益を享受することを遮断する事項が存在し、訂正後の請求項１に係る発明である本件発明１の特許については、本件の先の出願の出願日である平成１０年３月１６日を優先日とする利益を享受できないものであるから、『本件訂正明細書に記載された請求項１に係る発明についても原明細書等との相違が一層明白となり、本件発明１は、本件特許の出願日である平成１０年１０月１４日である。』旨の戸叶孝一の主張（平成１４年８月１２日付けの特許異議審尋回答書第２頁（３）審尋に対する回答の項、第２頁第１５行〜第２０行）は、結論において理由がある。
Ｂ−１．本件発明１について
　まず、本件発明１の特許の出願日は、前示の（４）対比・判断ａ．本件の特許出願日についての項の（訂正後の請求項１に係る発明に係る特許出願日について）のＡ−１．において説示したように、本件の先の出願の出願日である平成１０年３月１６日を優先日とする利益を享受できるものではなく、その出願日は、本件特許の出願日である平成１０年１０月１４日である。
　なお、刊行物１及び刊行物６の発明の公開日は、それぞれ本件の特許の現実の出願日である平成１０年３月１６日の後であって上記認定に係る本件の特許の出願日である平成１０年１０月１４日より前に公開された刊行物であるが、上記のように、本件発明１の特許の出願日は、本件の特許の後の出願の出願日である平成１０年１０月１４日であるから、特許法第２９条第２項において規定する「その出願前国内において頒布された刊行物」の要件を充足するものである。
　そこで、本件発明１と刊行物１の発明を比較する。
　刊行物１の発明の『プリンタ６０』は、本件発明１のＡ．の「印刷を行う印刷部」に対応する。
　刊行物１の発明の『メモリ１４２に格納されている画像データ及びメニュ−データの表示系への転送、デジタルカメラ４０からの画像データの取込、入出力制御部１３の制御に基づく印刷用データのプリンタ６０への転送、メニュー画面、設定画面、警告画面等の表示制御等を行なうデータ処理部１４』は、本件発明１のＢ．の「記録媒体から画像データを取得するデータ取得部」に対応する。
　刊行物１の発明の『サムネイル画像とそれに対応して読み込まれた画像に付けられたインデックス（番号、記号、文字列等）』は、本件発明１のＣ．の「前記画像データの識別コード」に対応する。
　刊行物１の発明の『インデックス付与手段１０９は選択されたサムネイル画像とそれに対応して読み込まれた画像にインデックス（番号、記号、文字列等）を付け、ビデオモニタ５０に画像と共に表示し、選択画像の印刷用データにもインデックスをつけ、印刷画像（写真）にインデックスを印刷するようにすることにより、サムネイル印刷メニューを用いてインデックスを付けたサムネイル画像を一括印刷し、画像選択確認手段としてのメモリースイッチ８９を押すと、画像が選択され、選択されたサムネイル画像に対応する高解像度の画像データがメモリー１４２に取込まれ、１フレーム分の画像としてビデオモニタ５０に表示され、印刷スイッチ８７を押すとデータ処理部１４での印刷前処理を経て、印刷データをプリンタ６０に送信され、印刷が開始され』は、本件発明１のＣ．の「前記データ取得部にサムネイル画像データを取得させサムネイル画像データに基づいて紙１枚あたりに複数のインデックス画像と各インデックス画像に対応する識別コードとを印刷する第１印刷方式、又は前記データ取得部に印刷対象の画像データを取得させ印刷対象の画像データに基づいて画像を印刷する第２印刷方式によって前記印刷部及び搬送部を制御する制御部と」において「搬送部」を除いた事項に対応する。
　刊行物１の発明の『ビデオモニタ５０』は、本件発明１のＤ．の「表示部」に対応する。
　刊行物１の発明の『画像選択確認手段としてのメモリースイッチ８９を押すと、画像が選択され、選択されたサムネイル画像に対応する高解像度の画像データがメモリー１４２に取込まれ、１フレーム分の画像としてビデオモニタ５０に表示され、印刷スイッチ８７を押すとデータ処理部１４での印刷前処理を経て、印刷データをプリンタ６０に送信され』る事項は、本件発明１のＥ．の「前記第１印刷方式と第２印刷方式とを切り換える切換手段と、印刷対象の画像データを確定するための識別コードを確定する識別コード確定手段と」に対応する。
　そうすると、双方の発明は、プリンターとして、
「印刷を行う印刷部を備えるプリンタであって、記録媒体から画像データを取得するデータ取得部と、前記データ取得部にサムネイル画像データを取得させサムネイル画像データに基づいて紙１枚あたりに複数のインデックス画像と各インデックス画像に対応する識別コードとを印刷する第１印刷方式、又は前記データ取得部に印刷対象の画像データを取得させ印刷対象の画像データに基づいて画像を印刷する第２印刷方式によって前記印刷部を制御する制御部と、前記第１印刷方式と第２印刷方式とを切り換える切換手段と、印刷対象の画像データを確定するための識別コードを確定する識別コード確定手段とを有し、を備えることを特徴とするプリンタ。」である点で一致し、次の点において相違する。
（相違点）
　第１に、本件発明１が、Ｄ．の「前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部と、」を備え、且つ、Ｆ．の「前記表示部に表示された前記第１印刷方式及び前記第２印刷方式に共通の印刷条件を同一の操作手順で変更可能な入力部と」を備えるるものであるのに対し、刊行物１の発明は、そのように規定しているものではなく、『デジタルカメラモードで実行可能な処理として、(１)印刷用紙サイズや種類等の条件を設定する印刷条件設定処理、(２)デジタルカメラ側の条件を設定或いは変更するデジタルカメラ条件設定処理、(３)サムネイル(ベタ焼印刷)や焼増し印刷等のデジタルカメラ特殊印刷条件設定処理、(４)ビデオモードへの移行、ができ、使用者は操作パネル９０の設定スイッチ８４を押して項目を選択し、キー８５のアイコン[＞]を押して選択項目実行の確認を行なうと、画面表示プログラム１０２により対応のメニュー画面が表示され』るように構成されているものであるが、前示の（１）〜（４）の印刷条件設定処理を行うにあたって、印刷条件の設定・表示の態様として、本件発明１が、Ｄ．の「同一のセクション」に「共通の印刷条件」を表示するものであるのに対し、刊行物１の発明は、そのように規定しているものではない点（図６においては、「印刷設定」のみ、図７においては、「インデックス付きサムネイル画像」のみが表示されており、印刷条件として、本件発明１のように、「前記第１印刷方式及び前記第２印刷方式に共通」という「条件」の表示は認められない。）で相違する。
　第２に、本件発明１が、Ａ．の「前記印刷部に紙を搬送する搬送部」を備え、且つ、Ｃ．の「第１印刷方式、又は（中略）第２印刷方式によって前記印刷部及び搬送部を制御する制御部」を備えるものであるのに対し、刊行物１の発明は、そのように規定しているものではない点。
　上記相違点について検討する。
　まず、第２の相違点については、一般に、プリンタにおいては記録紙を搬送する手段は常用であり、且つ、刊行物２において『記録紙を搬送するベルト１２７』（段落【００３３】）と記載されているように周知のものであるから、当業者が相違点３について想到するのが困難であるとは認められない。また、制御の対象を搬送部をも含めることもまた、当業者が第２の相違点について想到するのが困難であるとは認められない。
　次に、第１の相違点については、刊行物２の発明は、『印刷対象となる画像を１種類の画像とするか、複数の画像を１画面の画像とするかを切り換えるキー』ものであって、本件発明１の第２の相違点の事項を備えているものではない。
　また、刊行物３の発明は、『記憶媒体から複数の画像を読み出す読出し手段と、上記読出し手段によって読み出された複数の画像データに基づいて、印刷画像データを形成する画像形成手段と、上記画像形成手段によって形成された印刷画像データをインデックスカード上に印刷する印刷手段（プリンタ部２）と、上記印刷画像データが印刷されたインデックスカードによって上記複数の画像データを一覧できるように上記読出し手段、上記画像形成手段及び上記印刷手段を制御する制御手段とを備えた画像データ印刷装置であって、ストレージ部５内に装着された光ディスク２０に記憶されている高解像度画像データと中間解像度画像データとインデックス画像データを、ストレージコントローラ５ｄを制御して読み出すストレージ部５と、画像データに応じた静止画像が表示されるモニタ装置９を備え、操作部１０の操作状態を検出して画像ディレクトリの指定の有無を判別し、指定されたときに、既存の画像ディレクトリの個数を判断して、新たな画像ディレクトリのディレクトリ番号を付すと共に、この画像ディレクトリの中に画像データ管理ファイル及び画像インデックスファイルを形成して、全ての画像データを読み出し、システムコントローラ６が、検索されたディレクトリ内の最初の画像インデックスファイル（２５枚分のインデックス画像を含む）を上記モニタ装置９に表示制御し、モニタ装置９に表示されたインデックス画像の中からユーザ所望の画像の指定の有無に応じて、指定されたインデックス画像に対応する高解像度画像ファイル又は中間解像度画像ファイルを検索し、検索された中間解像度の画像ファイルのモニタ表示が指定されたか否かを判別し、指定された場合は、再生された中間解像度の画像ファイルを表示するようにモニタ装置９を表示制御すると共に、検索された高解像度の画像ファイルを読み出すようにディスク記録再生部５ｃを制御し、これをメインメモリ１１ａを介してプリンタ部２に供給し、プリントの指示があった場合、読み出した低解像度の画像データに基づいて１枚のプリント紙４０に複数の低解像度の画像（インデックス画像）が画像印画部５１に、及び各低解像度の画像（インデックス画像）に対応する関連情報（画像ディレクトリを示す番号、高解像度画像データの記録モードを示す符号、画像番号）が関連情報印画部５２に印刷されるように制御するように構成されている画像データ印刷装置。』の発明であって、本件発明１の第２の相違点の事項を備えているものではない。
　次に、刊行物４の発明は、『デジタル複写装置において、デジタルスチルカメラによって記録された記憶媒体３０２を読込むための記憶装置１１１及びインターフェースボード１１０が設けられており、記憶媒体に記憶している全ての画像データおよび画像データに付随したテキストデータの出力画像例を印刷する場合には、記憶媒体３０２の画像データと、それに付随するテキストデータをビットデータに展開したものを、その画像データの近傍位置に配置させ、印刷する。』ものであって、本件発明１の第２の相違点の事項を備えているものではない。
　更に、刊行物５の発明は、『印刷順序列に従って印刷中に、新たな印刷要求が発生した場合で、割込み印刷要求がなされているときに、次に印刷する文字データを新たに発生した印刷要求のデータに書き換える』ものであって、本件発明１の第２の相違点の事項を備えているものではない。
　そして、刊行物６の発明は、『設定された両面モードに応じて点灯するキー』であって、本件発明１の第２の相違点の事項を備えているものではない。
　したがって、刊行物２乃至６には、相違点２については、記載乃至示唆する事項は認められない。
　なお、本件発明１は、上記の一致点及び相違点の事項を備えることにより「ワンタッチプリント、ツータッチプリント、焼き増しプリント及びカメラ指定プリントにおいて、上キー５０６，または下キー５０７を操作して印刷条件を変更したいセクションを選択し、各セクションにおいて用紙種類、用紙サイズ、画質、自動調整等の設定を変更して任意の印刷条件を設定した後に（中略）印刷することも可能である。」（段落【００５５】）、「インデックスを見ながら識別コードを設定することができるので、プリンタ単体で印刷する画像を指定することができる。」（段落【００５７】）、「パソコンに接続して印刷する画像を指定する必要がないため、パソコンの扱いに慣れていないユーザがデジタルカメラ等によって記録した画像を容易に印刷することができる。また、テレビに接続して印刷する画像を指定する煩わしさがなく、手軽に撮影した画像データを印刷することができる（段落【００５８】）」という効果を奏することができるものであることは明らかである。
　そうとすると、本件発明１は、刊行物１〜６に記載された発明に基づいて当業者が想到することができたものではない。
Ｂ−２．本件発明２について
　本件発明２は、本件発明１に「入力部」が備える「画像選択キー」について、Ｈ．の「前記入力部は、押圧されることによって所定の識別コードを確定する」の事項（以下、「付加事項」という。）を付加して限定したものであるところ、当該付加事項以外のその余の事項については、本件発明１についての前示のｂ−１．の説示が該当するので、これを援用し、本件発明２は、当業者が刊行物１〜６に記載された発明に基いて容易に発明をすることができたものではない。
Ｂ−３．本件発明３について
　本件発明３は、本件発明１又は２の「切替キー」について、Ｉ．及びＪ．の「前記入力部は、押圧されることによって前記第１印刷方式と第２印刷方式とを切り換える切換キーを有し、前記切換キーが押圧されて前記第１印刷方式に切り換わると発光する第一のＬＥＤと、前記切換キーが押圧されて前記第２印刷方式に切り換わると発光する第二のＬＥＤとをさらに備えること」の事項（以下、「付加事項」という。）を付加して限定したものであるところ、当該付加事項以外のその余の事項については、本件発明１についての前示のｂ−１．の説示が該当するので、これを援用し、本件発明２は、当業者が刊行物１〜６に記載された発明に基いて容易に発明をすることができたものではない。
Ｂ−４．本件発明４について
　本件発明４は、本件発明１、２又は３の「表示部」の表示の態様について、Ｋ．及びＬ．の「前記表示部は、前記第１印刷方式の印刷条件を設定するための画面においては、前記第１印刷方式の印刷条件を設定するための画面に固有の表示を常に表示し、前記第２印刷方式の印刷条件を設定するための画面で、前記入力部の識別コード信号に対応する識別コードを表示すること」の事項（以下、「付加事項」という。）を付加して限定したものであるところ、当該付加事項以外のその余の事項については、本件発明１についての前示のｂ−１．の説示が該当するので、これを援用し、本件発明２は、当業者が刊行物１〜６に記載された発明に基いて容易に発明をすることができたものではない。
（５）まとめ
　したがって、本件の請求項１〜４に係る発明は、その出願前その発明の属する技術の分野における通常の知識を有する者がその出願前国内において頒布された刊行物（特開平１０−１２６７２４号公報、特開平１０−６６００３号公報、再公表特許国際公開番号ＷＯ９６／２７２５８号公報、特開平８−３０７５８９号公報、特開平１−２２３５３０号公報、及び特開平１０−１７８５３８号公報）に記載された発明に基いて容易に発明をすることができたものではない。
５．むすび
　以上のとおりであるから、本件の訂正請求については、これを認め、本件の特許異議申立てについては、特許異議申立人の証拠及び理由によっては本件の請求項１〜４に係る発明の特許を取り消すことはできず、また、他に本件の請求項１〜４に係る発明の特許を取り消すべき理由を発見しない。
　　よって、結論のとおり決定する。
【異議決定日】
平成１５年４月１５日（２００３．４．１５）
【訂正の要旨】
ａ．特許第３１２５９２５号発明の明細書（以下、特許第３１２５９２５号発明の明細書を本件明細書といい、その図面を本件図面という。）中の６ヶ所に「プリンタ、印刷方法及び記録媒体」とあるのを、明りょうでない記載の釈明を目的として全て「プリンタ」と訂正する。
ｂ．本件明細書中の請求項５及び６を、特許請求の範囲の減縮を目的として削除する。
ｃ．本件明細書中の請求項１の「制御部と、」と「前記第１印刷方式と」との間に、特許請求の範囲の減縮を目的として「前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部と、」を挿入する。
ｄ．本件明細書中の請求項１の「識別コード確定手段とを有する入力部」を、特許請求の範囲の減縮を目的として「識別コード確定手段とを有し、前記表示部に表示された前記第１印刷方式及び前記第２印刷方式に共通の印刷条件を同一の操作操作手順で変更可能な入力部」と訂正する。
ｅ．本件明細書中の請求項３の「切換キーを有する」を、特許請求の範囲の減縮を目的として「切換キーを有し、前記切換キーが押圧されて前記第１印刷方式に切り換わると発光する第一のＬＥＤと、前記切換キーが押圧されて前記第２印刷方式に切り換わると発光する第二のＬＥＤとをさらに備える」と訂正する。
ｆ．本件明細書中の請求項４の「前記入力部の識別コード」の前に、特許請求の範囲の減縮を目的として「前記表示部は、前記第１印刷方式の印刷条件を設定するための画面においては、前記第１印刷方式の印刷条件を設定するための画面に固有の表示を常に表示し、前記第２印刷方式の印刷条件を設定するための画面で」を挿入する。
ｇ．本件明細書中の請求項４の「表示する表示部を備える」を、明りょうでない記載の釈明を目的として「表示する」に訂正する。
ｈ．本件明細書中の段落００１２の「本発明の請求項１記載のプリンタによると、・・・入力部とを備える。」を、明りょうでない記載の釈明を目的として「本発明の請求項１記載のプリンタは、印刷を行う印刷部と、前記印刷部に紙を搬送する搬送部とを備えるプリンタであって、記録媒体から画像データを取得するデータ取得部と、前記データ取得部にサムネイル画像データを取得させサムネイル画像データに基づいて紙１枚あたりに複数のインデックス画像と各インデックス画像に対応する識別コードとを印刷する第１印刷方式、又は前記データ取得部に印刷対象の画像データを取得させ印刷対象の画像データに基づいて画像を印刷する第２印刷方式によって前記印刷部及び搬送部を制御する制御部と、前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部と、前記表示部に表示された前記第１印刷方式及び前記第２印刷方式に共通の印刷条件を同一の手順で変更可能なキーと、前記第１印刷方式と第２印刷方式とを切り換える切換手段と、印刷対象の画像データを確定するための識別コードを確定する識別コード確定手段とを有する入力部と、を備えることを特徴とする。」と訂正する。
ｉ．本件明細書中の段落００１４の「切換キーを有する。」を、明りょうでない記載の釈明を目的として「切換キーを有し、前記切換キーが押圧されて前記第１印刷方式に切り換わると点灯する第一のＬＥＤと、前記切換キーが押圧されて前記第２印刷方式に切り換わると点灯する第二のＬＥＤとをさらに備える。」と訂正する。
ｊ．本件明細書中の段落００１５の「入力部の識別コード信号に対応する識別コードを表示するため、」を、明りょうでない記載の釈明を目的として「前記表示部は、前記第１印刷方式の印刷条件を設定するための画面においては、前記第２印刷方式の印刷条件を設定する画面で表示されない表示であって前記第１印刷方式の印刷条件を設定するための画面に固有の表示を常に表示し、前記第１印刷方式の印刷条件を設定するための画面及び前記第２印刷方式の印刷条件を設定するための画面で入力部の識別コード信号に対応する識別コードを表示するため、」と訂正する。
ｋ．本件明細書中の段落００１６の内容全部を、明りょうでない記載の釈明を目的として削除する。
（５４）【発明の名称】
プリンタ
（５７）【特許請求の範囲】
　【請求項１】　印刷を行う印刷部と、前記印刷部に紙を搬送する搬送部とを備えるプリンタであって、
　記録媒体から画像データを取得するデータ取得部と、
　前記データ取得部にサムネイル画像データを取得させサムネイル画像データに基づいて紙１枚あたりに複数のインデックス画像と各インデックス画像に対応する識別コードとを印刷する第１印刷方式、又は前記データ取得部に印刷対象の画像データを取得させ印刷対象の画像データに基づいて画像を印刷する第２印刷方式によって前記印刷部及び搬送部を制御する制御部と、
　
前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部と、
　
前記表示部に表示された前記第１印刷方式及び前記第２印刷方式に共通の印刷条件を同一の操作手順で変更可能な
を備えることを特徴とするプリンタ。
　【請求項２】　前記入力部は、押圧されることによって所定の識別コードを確定する画像選択キーを有することを特徴とする請求項１記載のプリンタ。
　【請求項３】　前記入力部は、押圧されることによって前記第１印刷方式と第２印刷方式とを切り換える切換キーを有
し、
　前記切換キーが押圧されて前記第１印刷方式に切り換わると発光する第一のＬＥＤと、
　前記切換キーが押圧されて前記第２印刷方式に切り換わると発光する第二のＬＥＤとをさらに備える
　【請求項４】　
前記表示部は、前記第１印刷方式の印刷条件を設定するための画面においては、前記第１印刷方式の印刷条件を設定するための画面に固有の表示を常に表示し、前記第２印刷方式の印刷条件を設定するための画面で
【発明の詳細な説明】
　【０００１】
　【発明の属する技術分野】
　本発明は
プリンタ
プリンタ
　【０００２】
　【従来の技術】
　一般に、電子データをプリンタによって印刷する場合、プリンタに接続するパソコンによって印刷する電子データを指定し、プリンタ単体で印刷する電子データを指定することはできない。
　【０００３】
　近年、デジタルカメラの普及に伴い、デジタルカメラによって画像を記録したメモリカード等の記録媒体を読み取ってテレビ画面上に画像を映し出すとともに、紙面に印刷することが可能なプリンタが市場に供給されている。このようなプリンタによると、テレビ画面上でデジタルカメラによって記録した画像について印刷する画像を指定することができる。
　【０００４】
　また、液晶表示装置と組み合わせたタッチパネルを備え、デジタルカメラによって画像を記録したメモリカード等の記録媒体を読み取ってタッチパネルに複数の画像をインデックスとして映し出すことが可能なプリンタが市場に供給されている。このようなプリンタによると、タッチパネルを操作することにより印刷する画像をプリンタ単体で指定して印刷することができる。
　【０００５】
　【発明が解決しようとする課題】
　しかし、パソコンに接続しなければ印刷する画像を指定することができないプリンタによると、パソコンの取り扱いに不慣れなユーザにとってデジタルカメラ等によって記録した画像を紙面上に印刷することは困難であるという問題があった。
　【０００６】
　また、記録した画像をテレビ画面に映し出して印刷する画像を指定し、印刷条件を設定するプリンタによると、テレビに接続しなければ印刷する画像を指定することができず、デジタルカメラによって記録した画像を印刷するのに手間がかかるという問題があった。
　【０００７】
　また、タッチパネルが備えられ、印刷する画像をプリンタ単体で指定するプリンタによると、インデックスとしての画像を表示することが可能なタッチパネルを備える必要がありプリンタが高価になるという問題があった。
　【０００８】
　本発明は、上記の問題を解決するために案出されたものであり、デジタルカメラ等によって記録した画像について、印刷する画像を単体で指定して印刷できる
プリンタ
　【０００９】
　本発明の別の目的は、パソコンの取り扱いに不慣れなユーザがデジタルカメラ等によって記録した画像を容易に印刷できる
プリンタ
　【００１０】
　本発明のまた別の目的は、デジタルカメラ等によって記録した画像を印刷するのに手間のかからない
プリンタ
　【００１１】
　本発明のまた別の目的は、デジタルカメラ等によって記録した画像について、印刷する画像を単体で指定して印刷できるプリンタを安価に提供することを目的とする。
　【００１２】
　【課題を解決するための手段】
　本発明の請求項１記載のプリンタ
は、印刷を行う印刷部と、前記印刷部に紙を搬送する搬送部とを備えるプリンタであって、記録媒体から画像データを取得するデータ取得部と、前記データ取得部にサムネイル画像データを取得させサムネイル画像データに基づいて紙１枚あたりに複数のインデックス画像と各インデックス画像に対応する識別コードとを印刷する第１印刷方式、又は前記データ取得部に印刷対象の画像データを取得させ印刷対象の画像データに基づいて画像を印刷する第２印刷方式によって前記印刷部及び搬送部を制御する制御部と、前記第１印刷方式の印刷条件を設定するための画面及び前記第２印刷方式の印刷条件を設定するための画面において前記第１印刷方式及び前記第２印刷方式に共通の印刷条件を同一のセクションに表示する表示部と、前記表示部に表示された前記第１印刷方式及び前記第２印刷方式に共通の印刷条件を同一の操作手順で変更可能なキーと、前記第１印刷方式と第２印刷方式とを切り換える切換手段と、印刷対象の画像データを確定するための識別コードを確定する識別コード確定手段とを有する入力部と、を備えることを特徴とする。
　【００１３】
　本発明の請求項２記載のプリンタによると、入力部は、押圧されることによって所定の識別コードを確定する画像選択キーを有するため、キー操作によって印刷する画像を指定することができる。
　【００１４】
　本発明の請求項３記載のプリンタによると、入力部は、押圧されることによって第１印刷方式と第２印刷方式とを切り換える切換キーを有
し、前記切換キーが押圧されて前記第１印刷方式に切り換わると点灯する第一のＬＥＤと、前記切換キーが押圧されて前記第２印刷方式に切り換わると点灯する第二のＬＥＤとをさらに備える
　【００１５】
　本発明の請求項４記載のプリンタによると、
前記表示部は、前記第１印刷方式の印刷条件を設定するための画面においては、前記第１印刷方式の印刷条件を設定するための画面に固有の表示を常に表示し、前記第２印刷方式の印刷条件を設定するための画面で入力部の識別コード信号に対応する識別コードを表示するため、
　【００１６】
　【００１７】
　【発明の実施の形態】
　以下、本発明の実施の形態を示す一実施例を図面に基づき詳細に説明する。
　【００１８】
　本発明の一実施例によるプリンタは、図１に示すように、搬送部１と、印刷部２と、制御部３と、表示部４と、入力部５と、ガイド部６と、第１データ取得部７と、第２データ取得部８とを有する。搬送部１と、印刷部２と、制御部３と、表示部４と、入力部５と、ガイド部６と、第１データ取得部７と、第２データ取得部８とは箱型のハウジング９に備えられる。本実施例によるプリンタは、第１データ取得部７又は第２データ取得部８から取得した電子データに基づいて制御部３によって駆動される印刷部２において印刷することが可能である。
　【００１９】
　ハウジング９は、図２に示すように、上面に表示部４及び入力部５を備え、前面に第１データ取得部７と電源スイッチ９１とインク切れや用紙切れを知らせる警告ランプ９２とガイド部６とを備え、背面に図示しない第２データ取得部８を備え、内部に図示しない搬送部１と、印刷部２と、制御部３とを備える。ハウジング９の上面と前面下部には、それぞれ用紙供給口９３と用紙排出口９４とが形成される。用紙供給口９３には用紙トレー９５が、用紙排出口９４には用紙受け９６がそれぞれ取り外し可能に係止される。
　【００２０】
　図示しない搬送部１は、用紙供給口９３と用紙排出口９４の間のハウジング９内部に備えられ、モータにより駆動される搬送ローラと、搬送ローラに接触して摩擦により用紙を搬送する従動ローラとを有する。搬送ローラと従動ローラとは、ゴムなどの滑りにくい材料からなる。搬送部１は、搬送ローラと従動ローラが回転することにより、用紙供給口９３から用紙排出口９４に用紙を搬送する機構である。
　【００２１】
　図示しない印刷部２は、搬送部１に隣接して備えられ、インクタンクとインクジェットヘッドを搭載したキャリッジと、ステップモータと、用紙の搬送される方向と直行する方向に備えられるキャリッジレールとを有する。印刷部２は、公知のインクジェット方式により印刷を行う。詳しくは、用紙と対向する位置でステップモータにより駆動されるキャリッジがキャリッジレール上を往復移動し、搬送部１によって搬送される用紙にインクジェットヘッドからインクタンク内のインクを噴射して印刷を行う。なお、印刷部２としてレーザ方式やドットインパクト方式等を用いることも可能である。
　【００２２】
　図示しない制御部３は、ＣＰＵと、制御用プログラムが記録されたＲＯＭと、画像データを一時的に保存するメモリとを有する。制御部３は、第１データ取得部７又は第２データ取得部８から取得した画像データから種々の情報を取り出して表示部４に表示し又はガイド部６を駆動してユーザインターフェースを提供し、並びに入力部５の入力を判断し、並びに印刷部２で印刷を行うための制御を行う。制御部３は、識別コード付きのインデックスを印刷する第１印刷方式又はインデックスに印刷された識別コードによって指定される画像を印刷する第２印刷方式によって搬送部１及び印刷部２を制御する。
　【００２３】
　入力部５はハウジング９上面に備えられ、図３に示すように、キーパネル５０上に種々のキーを有する。
　【００２４】
　プリント開始キー５０１は、キーパネル５０の最も手前すなわち第１データ取得部７に近い側に備えられ、すべてのキーの中で最も大きく目立つ外観を有し、操作面は透明の材料からなり操作面の内側に図示しないＬＥＤ（ｌｉｇｈｔｅｍｉｔｔｅｄｄｉｏｄｅ）が備えられる。このＬＥＤは、印刷開始が可能な状態で点滅するように制御される。プリント開始キー５０１は、表示部４に表示される印刷設定に対応する印刷指定信号等を制御部３に伝送して、印刷を開始させるキーである。
　【００２５】
　切換キーとしての全印刷キー５０２及びインデックスキー５０３は、キーパネル５０の最も手前にプリント開始キー５０１と並んで備えられ、全てのキーの中でプリント開始キー５０１に次いで大きく、角の丸まった長方形の形状を有し、操作面は透明の材料からなりそれぞれの操作面の内側に図示しないＬＥＤが備えられる。
　【００２６】
　切換キーとしての範囲指定キー５０５及び１コマキー５０４は、全印刷キー５０２とインデックスキー５０３の奥に並んで備えられ、それらに比べて一回り小さい楕円形状を有し、操作面は透明の材料からなりそれぞれの操作面の内側に図示しないＬＥＤが備えられる。
　【００２７】
　全印刷キー５０２、インデックスキー５０３、範囲指定キー５０５及び１コマキー５０４は、そのうちのいずれか１つを選択できるキーであって、選択されているキーのＬＥＤが発光する。
　【００２８】
　上キー５０６と下キー５０７とは、１コマキー５０４の奥すなわち表示部４に近い側に縦に並んで備えられ、それぞれ線対称な三角形状を有する。
　【００２９】
　画像選択キー及び切換キーとしての右キー５０９及び左キー５０８は、上キー５０６と下キー５０７に隣接してプリント開始キー５０１の奥に横に並んで備えられ、それぞれ線対称な三角形状を有する。右キー５０９及び左キー５０８は、表示部４の各セクションにおける印刷条件の細目を変更する。
　【００３０】
　表示部４は、ハウジング９上面に入力部５の奥に隣接して備えられる。表示部４は、セグメント式の液晶パネルで、選択セクション４０１、及び印刷条件の細目を表示する用紙種類セクション４０２、用紙サイズセクション４０３、レイアウトセクション４０４、写真サイズセクション４０５、写真選択セクション４０６、枚数セクション４０７、画質セクション４０８並びに自動調整セクション４０９に分かれている。液晶パネルの全セグメントを点燈させた状態を図３に示す。表示部４で選択される表示内容は、プリント開始キー５０１が押圧されることによって制御部３に印刷条件として設定される。
　【００３１】
　選択セクション４０１は、上キー５０６と下キー５０７によって、他のセクションを選択的に指し示す三角形を表示してそのセクションをアクティブにするセクションである。アクティブなセクションでは、右キー５０９と左キー５０８によって表示を切り替えることが可能である。
　【００３２】
　用紙種類セクション４０２は、普通紙、フォトプリント紙及びスーパーファイン紙に表示が切り替わるセクションである。
　【００３３】
　用紙サイズセクション４０３は、はがき、フォトカード及びＡ４に表示が切り替わるセクションである。
　【００３４】
　レイアウトセクション４０４は、上寄り、下寄り、中央、全体、インデックス及び切り取りガイド付き等に表示が切り替わるセクションである。切り取りガイド付きが選択されると画像にトンボを付して印刷することが可能である。切換キーとしての右キー５０９又は左キー５０８又は制御プログラムのデフォルトの設定によってインデックスが選択されると、制御部３による搬送部１及び印刷部２の制御を第１印刷方式に切り換える切換信号が発信され、記録媒体に記録された全てのサムネイル画像データが１枚の用紙につき１６コマずつそれぞれ識別コードが付されてインデックス画像として印刷される。切換キーとしての右キー５０９又は左キー５０８又は制御プログラムのデフォルトの設定によってインデックス以外が選択されると、制御部３による搬送部１及び印刷部２の制御を第２印刷方式に切り換える切換信号が発信され、選択されるレイアウトによって識別コードによって指定された画像を印刷する。
　【００３５】
　写真サイズセクション４０５は、４Ｌ、２Ｌ、４×６、Ｌ、Ｅ及びカードに表示が切り替わるセクションである。写真サイズセクション４０５の表示は、用紙サイズとレイアウトの設定によって決定される。
　【００３６】
　写真選択セクション４０６は、主に記録媒体に記録されている画像データの総数と印刷する画像を指定する０から１９９までの識別コードとしての数字を表示するセクションである。識別コードが表示された状態で画像選択キーとしての右キー５０９が押されると数字が増え、左キー５０８が押されると数字が減る。表示される数字が印刷する画像の識別コードを表わす。
　【００３７】
　枚数セクション４０７は、主に印刷枚数と、印刷する画像を指定する０から１９９までの識別コードとしての数字を表示するセクションである。
　【００３８】
　画質セクション４０８は、高画質、高速、超高画質に表示が切り替わるセクションである。
　【００３９】
　自動調整セクション４０９は、オートフォトファインとなしに表示が切り替わるセクションである。オートフォトファインが選択されると、写真画像が自動画質調整されて印刷される。
　【００４０】
　ガイド部６は、ハウジング９前面下方に備えられる。ガイド部６は制御部３によって駆動されるスピーカ６１を有し、ＲＯＭから読み出す音声データを音声として出力する。
　【００４１】
　第１データ取得部７は、図２に示すようにハウジング９前面上方に備えられ、カードスロット７１と、記録媒体に記録されたサムネイル画像データを含む画像データを読み出して制御部３に伝送する図示しないリーダとを有する。カードスロット７１には、記録媒体としてＰＣＭＣＩＡ規格のメモリカード、又は一般にデジタルカメラに用いられているコンパクトフラッシュカード等の記録媒体をアダプタとともに挿入することができる。
　【００４２】
　図示しない第２データ取得部８は、ハウジング９背面に備えられ、複数のコネクタを有する。第２データ取得部８は、パソコン或いはデジタルカメラと接続するときのインターフェースであり、それらの外部接続機器から取り出した電子データを制御部３に伝送する。
　【００４３】
　以下、上述のプリンタの作動及び印刷方法について説明する。プリンタの印刷は、説明上、通常プリント、ワンタッチプリント、ツータッチプリント、焼き増しプリント及び詳細設定プリントに区分される。
　【００４４】
　電源スイッチ９１をオンにすると、制御用プログラムが立ち上がり、ガイド部６から「カードを挿入してください。」等の画像データを記録した記録媒体（以下メモリカード）の挿入を促す音声を発する。
　【００４５】
　（１）　通常プリント
　制御部３は第１データ取得部７と第２データ取得部８の両方の電子データを監視しており、最先の電子データを優先的に処理する。このため、第２データ取得部８にケーブルでパソコンが接続されてパソコンから印刷指示があると、表示部４の表示は消え、以降パソコンの制御によってプリンタは駆動される。
　【００４６】
　（２）　ワンタッチプリント
　電源スイッチ９１をオンにした後、カードスロット７１に画像データを記録したメモリカードを挿入すると、プリント開始キー５０１が点滅し、切換キーとしての全印刷キー５０２が点燈する。表示部４には、図４に示すように制御用プログラムのデフォルトの設定として、用紙種類セクション４０２にフォトプリント紙、用紙サイズセクション４０３にはがき、レイアウトセクション４０４に全体、写真サイズセクション４０５にＬ、画質セクション４０８に高画質、自動調整セクション４０９にオートフォトファイン及び写真選択セクション４０６にメモリカードから読み出した画像データの総数が表示され、枚数セクション４０７に印刷枚数として１枚が表示される。制御部３は、全体のレイアウトが選択されているため、第２印刷方式によって印刷部２及び搬送部１を制御する。
　【００４７】
　点滅しているプリント開始キー５０１を押すと表示部４の表示にしたがってメモリカードに記録されたすべての画像データが１枚につき１コマずつ印刷される。このようにして印刷することを以後ワンタッチプリントとする。
　【００４８】
　（３）　ツータッチプリント
　カードスロット７１にメモリカードを挿入した後、切換キーとしてのインデックスキー５０３を押すと全印刷キー５０２が消え、インデックスキー５０３が点燈する。そして表示部４には、図５に示すように制御用プログラムのデフォルトの設定として、用紙種類セクション４０２にフォトプリント紙、用紙サイズセクション４０３にはがき、レイアウトセクション４０４にインデックス、画質セクション４０８に高速及び写真選択セクション４０６にメモリカードから読み出した画像データの総数が表示され、枚数セクション４０７に印刷枚数として１が表示される。制御部３は、インデックスのレイアウトが選択されているため、第１印刷方式によって印刷部２及び搬送部１を制御する。
　【００４９】
　点滅しているプリント開始キー５０１を押すとメモリカードに記録されたサムネイル画像データを読み出し、表示部４の表示にしたがって図６に示すように、はがきサイズの用紙１枚につき縦４列横４列の１６コマのインデックス画像にそれぞれ識別コード１０２を付して印刷する。また、サムネイル画像データを読み出して印刷するため印刷スピードは非常に高速である。このようにして印刷することを以後ツータッチプリントという。
　【００５０】
　（４）　焼き増しプリント
　ツータッチプリントによってインデックスを印刷した後、切換キーとしての１コマキー５０４を押すとインデックスキー５０３が消え、１コマキー５０４が点燈する。そして表示部４には、図７に示すように制御用プログラムのデフォルトの設定として、用紙種類セクション４０２にフォトプリント紙、用紙サイズセクション４０３にはがき、レイアウトセクション４０４に全体、写真サイズセクション４０５にＬ、画質セクション４０８に高画質、自動調整セクション４０９にオートフォトファイン、写真選択セクション４０６にメモリカードに保存された最初のコマの識別コードとして１、及び枚数セクション４０７に１が表示される。このとき、写真選択セクション４０６がアクティブである。
　【００５１】
　次に、画像選択キーとしての右キー５０９又は左キー５０８を操作してインデックスに印刷された画像のうち印刷したい画像の識別コードを写真選択セクション４０６で指定する。制御部３は、全体のレイアウトが選択されているため、第２印刷方式によって印刷部２及び搬送部１を制御する。点滅しているプリント開始キー５０１を押すと、指定した識別コードに対応する画像が表示部４に表示された設定によって印刷される。
　【００５２】
　また、ツータッチプリントによってインデックスを印刷した後、切換キーとしての範囲指定キー５０５を押すとインデックスキー５０３が消え、範囲指定キー５０５が点燈する。そして表示部４には、図８に示すように制御用プログラムのデフォルトの設定として、用紙種類セクション４０２にフォトプリント紙、用紙サイズセクション４０３にはがき、レイアウトセクション４０４に全体、写真サイズセクション４０５にＬ、画質セクション４０８に高画質、自動調整セクション４０９にオートフォトファイン、及び写真選択セクション４０６にメモリカードに保存された最初のコマの識別コードとして１が表示され、枚数セクション４０７に最後のコマの識別コードとしてメモリカードから読み出した画像データの総数が表示される。このとき、写真選択セクション４０６がアクティブである。
　【００５３】
　次に、写真選択セクション４０６で画像選択キーとしての右キー５０９又は左キー５０８を操作してインデックスに印刷された画像のうち印刷したい範囲の最初の画像の識別コードを指定する。さらに下キー５０７を操作して枚数セクション４０７をアクティブにし、右キー５０９又は左キー５０８を操作してインデックスに印刷された画像のうち印刷したい範囲の最後の画像の識別コードを指定する。制御部３は、全体のレイアウトが選択されているため第２印刷方式によって印刷部２及び搬送部１を駆動する。点滅しているプリント開始キー５０１を押すと、範囲指定した識別コードに対応する画像が表示部４に表示された設定によって印刷される。
　【００５４】
　ツータッチプリントによってインデックスを印刷した後、１コマキー５０４または範囲指定キー５０５を押して印刷することを以後焼き増しプリントという。
　【００５５】
　（５）　詳細設定プリント
　上述のワンタッチプリント、ツータッチプリント、焼き増しプリント及びカメラ指定プリントにおいて、上キー５０６または下キー５０７を操作して印刷条件を変更したいセクションを選択し、各セクションにおいて用紙種類、用紙サイズ、画質、自動調整等の設定を変更して任意の印刷条件を設定した後にプリント開始キー５０１を押して印刷することも可能である。例えば、焼き増しプリントにおいて、用紙サイズセクション４０３をアクティブにしてＡ４を選択すると、第２印刷方式のもとで印刷を行いＡ４サイズの大きな画像を印刷することができる。このように、任意の印刷条件を設定した後にプリント開始キー５０１を押して印刷することを以後詳細設定プリントという。
　【００５６】
　一方、プリント開始キー５０１を押して印刷が進行中であっても次の印刷の設定をすることが可能である。例えば、焼き増しプリントにおいて、１コマ印刷キーを押して１コマずつ印刷するとき、印刷進行中に次に印刷したい写真の識別コードの指定を連続して行うことができる。このため、複数コマの焼き増しを行うときに１コマごとに印刷が終わるのを待って次に印刷する画像の識別コードの指定をする必要がなく、快適に連続印刷を実行することが可能である。
　【００５７】
　本実施例のプリンタによると、印刷する画像を指定するためのインデックスを単体で印刷し、インデックスを見ながら識別コードを設定することができるので、プリンタ単体で印刷する画像を指定することができる。
　【００５８】
　また、パソコンに接続して印刷する画像を指定する必要がないため、パソコンの扱いに慣れていないユーザがデジタルカメラ等によって記録した画像を容易に印刷することができる。また、テレビに接続して印刷する画像を指定する煩わしさがなく、手軽に撮影した画像データを印刷することができる。
　【００５９】
　また、インデックスとしての画像を表示することが可能な液晶表示装置、或いはそれに組み合わせたタッチパネルなどを必要としないため、タッチパネルによって印刷する画像を指定するプリンタに比べて安価なプリンタを提供することができる。
　【００６０】
　本実施例においては、プリンタを制御する制御用プログラムは予めＲＯＭに記録されているものとして説明されたが、この制御用プログラムは記録媒体に記録された制御用プログラムをプリンタにダウンロードすることによって提供されるものであってもよい。
【図面の簡単な説明】
　【図１】
　本発明の実施例によるプリンタを示すブロック図である。
　【図２】
　本発明の実施例によるプリンタを示す斜視図である。
　【図３】
　本発明の実施例における表示部と入力部を示す平面図である。
　【図４】
　本発明の実施例における表示部と入力部を示す平面図である。
　【図５】
　本発明の実施例における表示部と入力部を示す平面図である。
　【図６】
　本発明の実施例におけるインデックスを示す模式図である。
　【図７】
　本発明の実施例における表示部と入力部を示す平面図である。
　【図８】
　本発明の実施例における表示部と入力部を示す平面図である。
　【符号の説明】
　１　搬送部
　２　印刷部
　３　制御部
　４　表示部
　５　入力部
　７　第１データ取得部
　５０２　全印刷キー（切換キー）
　５０３　インデックスキー（切換キー）
　５０４　１コマキー（切換キー）
　５０５　範囲指定キー（切換キー）
　５０８　右キー（画像選択キー）
　５０９　左キー（画像選択キー）